(57)【要約】  無線ネットワークシステム３０、６０を試運転するための方法及び無線ネットワークシステム３０、６０が説明される。ネットワークシステム３０、６０は少なくともネットワーク装置１、１’、１”及び加入装置２１、８１、９１、１０１、１１１を有する。試運転モードでは、ネットワーク装置１、１’、１”はネットワーク識別情報を報知する。加入装置２１、８１、９１、１０１、１１１は、ネットワーク識別情報を受信すると、加入装置２１、８１、９１、１０１、１１１の既定のアドレスを有するネットワークに加入するというリクエストをネットワーク装置１、１’、１”へ送信する。ネットワーク装置１、１’、１”は、加入装置２１、８１、９１、１０１、１１１にネットワークアドレスを割り当てる。ネットワーク装置１、１’、１”は、既定のアドレスを使用して少なくともネットワークアドレスを有する加入情報を加入装置２１、８１、９１、１０１、１１１へ送信し、加入装置２１、８１、９１、１０１、１１１はネットワークアドレスを受信するので、加入装置２１、８１、９１、１０１、１１１はネットワークアドレスを使用してネットワークシステム３０、６０にアドレス可能である。
2012501146.tif 000002
【特許請求の範囲】
【請求項１】
無線媒体を介してデータを伝送し受信するための通信インタフェース、ネットワーク識別情報、及びネットワーク構成メモリを少なくとも有するネットワーク装置と、
無線媒体を介してデータを伝送し受信するための通信インタフェース、既定のアドレス、及び装置構成メモリを少なくとも有する加入装置とを少なくとも備える無線ネットワークシステムであって、
前記ネットワーク装置及び前記加入装置は、試運転モードで通信し、
前記ネットワーク装置が前記ネットワーク識別情報を報知し、
前記加入装置が、報知を受信すると、前記既定のアドレスを有するネットワークに加入するというリクエストを、前記ネットワーク装置へ送信し、
前記ネットワーク装置が、ネットワークアドレスを前記加入装置に割り当てることにより前記リクエストに応答し、前記ネットワークアドレスに対応するデータを前記ネットワーク構成メモリに格納し、前記既定のアドレスを使用して少なくとも前記ネットワークアドレスを有する加入情報を前記加入装置へ送信し、
前記加入装置が、前記加入情報を受信し、前記装置構成メモリに前記加入情報を格納し、前記加入装置が前記ネットワークアドレスを使用して、無線ネットワークシステムにアドレス可能である、無線ネットワークシステム。
【請求項２】
前記ネットワーク装置がエンド装置である、請求項１に記載の無線ネットワークシステム。
【請求項３】
前記ネットワーク装置が、アプリケーション制御コマンドを前記ネットワーク内の他の装置へ送信し、及び／又は前記他の装置からアプリケーションデータを受信するためのユーザ制御インタフェースを有する第１の制御装置である、請求項１又は２に記載の無線ネットワークシステム。
【請求項４】
前記加入装置が、アプリケーション制御コマンドを前記ネットワーク内の他の装置から受信し、及び／又は前記他の装置へアプリケーションデータ値を送信し、アプリケーション装置と接続可能である、アプリケーションインタフェースを有する機能装置である、請求項１乃至３の何れか一項に記載の無線ネットワークシステム。
【請求項５】
前記加入装置が、アプリケーション制御コマンドを前記ネットワーク内の他の装置へ送信し、及び／又は前記他の装置からアプリケーションデータ値を受信する、ユーザ制御インタフェースを有する第２の制御装置である、請求項１乃至４の何れか一項に記載の無線ネットワークシステム。
【請求項６】
前記通信インタフェースがＺｉｇｂｅｅネットワークシステム用である、請求項１乃至５の何れか一項に記載の無線ネットワークシステム。
【請求項７】
前記試運転モードでの前記通信がＺｉｇｂｅｅ  Ｉｎｔｅｒ−ＰＡＮ伝送に対応する、請求項１乃至６の何れか一項に記載の無線ネットワークシステム。
【請求項８】
前記ネットワーク装置が既定の近接値を有し、前記加入装置が、前記ネットワーク装置と前記加入装置との間の距離に一致する近接情報を供給し、前記近接情報を前記ネットワーク装置へ送信し、
前記ネットワーク装置は、前記既定の近接値が前記近接情報と対応するかどうかを決定し、前記近接情報が前記既定の近接値と対応する場合だけ、加入情報を前記加入装置へ送信する、請求項１乃至７の何れか一項に記載の無線ネットワークシステム。
【請求項９】
既定のコードデータを有する前記ネットワーク装置が、前記既定のコードデータと対応する信号を前記加入装置へ送信するための第２の信号伝送器を有し、
前記加入装置が、前記信号を受信し、前記無線媒体を介して対応する認証情報を前記ネットワーク装置へ送信する第２の信号受信器を有し、
前記ネットワーク装置は、前記認証情報が前記コードデータと対応するかどうかを決定し、前記認証情報が前記コードデータと一致する場合だけ、加入情報を前記加入装置へ送信する、請求項１乃至８の何れか一項に記載の無線ネットワークシステム。
【請求項１０】
既定のコードデータを有する前記加入装置が、前記コードデータと対応する信号を前記ネットワーク装置へ送信するための第２の信号伝送器を有し、
前記加入装置が、前記既定のコードデータと対応する認証情報を前記ネットワーク装置へ前記無線媒体を介して送信し、
前記ネットワーク装置が、前記信号を受信し、前記認証情報が前記既定のコードデータと一致するかどうかを決定し、前記認証情報が前記コードデータと一致する場合だけ、加入情報を前記加入装置へ送信する、請求項１乃至９の何れか一項に記載の無線ネットワークシステム。
【請求項１１】
第２の信号伝送器が赤外線伝送器であり、第２の信号受信器が赤外線受信器である、請求項９又は１０に記載の無線ネットワークシステム。
【請求項１２】
無線媒体を介してデータを伝送し受信するための通信インタフェース、ネットワーク識別情報、及びネットワーク構成メモリを有する、請求項１乃至１１の何れか一項に記載の無線ネットワークシステム用のネットワーク装置であって、
前記ネットワーク識別情報を報知し、加入装置のリクエストに応答してネットワークアドレスを前記加入装置へ割り当てることにより前記ネットワークに加入し、前記ネットワーク構成メモリに対応するデータを格納し、前記ネットワークアドレスを有する加入情報を前記加入装置へ送信する、ネットワーク装置。
【請求項１３】
無線媒体を介してデータを伝送し受信するための通信インタフェース、既定のアドレス、及び装置構成メモリを有する請求項１乃至１１の何れか一項に記載の無線ネットワークシステム用の加入装置であって、
前記加入装置は、ネットワーク装置の報知を受信すると、前記既定のアドレスを有する、ネットワークに加入するというリクエストを送信し、
ネットワークアドレスを有する加入情報を受信し、前記装置構成メモリに前記加入情報を格納して、前記加入装置が前記ネットワークアドレスを使用して前記無線ネットワークシステム内でアドレス可能である、加入装置。
【請求項１４】
少なくともネットワーク装置及び加入装置を備える無線ネットワークシステムを試運転する方法であって、前記ネットワーク装置はネットワーク識別情報を報知し、
前記加入装置は前記ネットワーク識別情報を受信すると、前記加入装置の既定のアドレスを有する、前記ネットワークに加入するというリクエストを前記ネットワーク装置へ送信し、
前記ネットワーク装置は前記加入装置にネットワークアドレスを割り当て、対応するデータを格納し、
前記既定のアドレスを使用して少なくとも前記ネットワークアドレスを有する加入情報を前記加入装置へ送信し、
前記加入装置は前記加入情報を受信して、前記加入装置が前記ネットワークアドレスを使用して前記ネットワークシステム内でアドレス可能である、方法。
【請求項１５】
コンピュータを実行するとき、請求項１４に記載の方法を実施可能なコンピュータプログラム。
【請求項１６】
無線媒体を介してデータを伝送及び受信するための少なくとも通信インタフェースを有する、第１のネットワークシステムで動作するように構成されたネットワーク装置と、
無線媒体を介してデータを伝送及び受信するための通信インタフェース及び既定の近接値を少なくとも有する加入装置とを少なくとも備えた無線ネットワークシステムであって、
前記加入装置は、第２のネットワークシステムでの動作用にネットワークアドレスで構成され、
前記ネットワーク装置及び前記加入装置は、発見モードで動作するように構成され、
前記ネットワーク装置は、前記ネットワーク装置と前記加入装置との間の距離に対応する近接情報を供給するため発見メッセージを報知し、
前記加入装置は、前記発見メッセージを受信すると、前記近接情報が前記既定の近接値と一致するかどうかを決定し、前記近接情報が前記近接値と一致する場合、試運転モードに入るように構成されて、前記加入装置が第１のネットワークシステム内でアドレス可能である、無線ネットワークシステム。
【請求項１７】
前記加入装置は、少なくとも前記ネットワークアドレスを格納するための装置構成メモリを有し、前記近接情報が前記近接値と一致する場合、前記加入装置は、前記装置構成メモリをリセットする、請求項１６に記載の無線ネットワークシステム。
【請求項１８】
前記ネットワーク装置及び前記加入装置は、請求項１乃至１５の何れか一項に記載されたように構成される、請求項１６又は１７に記載の無線ネットワークシステム。
【請求項１９】
第１のネットワークシステムで動作するために構成されたネットワーク装置と、第２のネットワークシステムで動作するためネットワークアドレスで構成された加入装置とを少なくとも備えた無線ネットワークシステムを試運転するための方法であって、
前記ネットワーク装置が、前記ネットワーク装置と前記加入装置との間の距離に対応する近接情報を供給するため発見メッセージを報知し、
前記加入装置は、前記発見メッセージを受信すると、前記近接情報が前記既定の近接値と一致するかどうかを決定し、前記近接情報が前記近接値と一致する場合、試運転モードに入るように構成されて、前記加入装置が第１のネットワークシステム内でアドレス可能である、方法。
【請求項２０】
コンピュータで実行するとき、請求項１９に記載の方法を実施可能にする、コンピュータプログラム。
【請求項２１】
無線媒体を介してデータを伝送及び受信するための通信インタフェース及び既定の近接値を少なくとも有する加入装置であって、
前記加入装置は、第２のネットワークシステムでの動作用にネットワークアドレスで構成され、
第１のネットワークシステムのネットワーク装置の発見メッセージを受信すると、前記発見メッセージにより供給される近接情報が前記既定の近接値と一致するかどうかを決定し、前記近接情報が前記近接値と一致する場合、試運転モードに入るように構成されて、前記加入装置が第１のネットワークシステム内でアドレス可能である、加入装置。
【発明の詳細な説明】
【技術分野】
【０００１】
本発明は、無線ネットワークシステムに関し、また無線ネットワークシステムを試運転する方法にも関する。
【背景技術】
【０００２】
無線媒体上を通信する装置を備える無線ネットワークシステムは、今日、様々なアプリケーションで一般的である。斯様なネットワークシステムでは通常、ネットワークの一部である各装置が識別可能なアドレスを持つので、このアドレスを使用する特定の装置にメッセージを向けることが可能である。このように、各通信はメッセージに加えて少なくともアドレスを有するので、メッセージが所望の受け側に到達する。例えば、遠隔制御ユニット及び複数の制御可能な機器、例えば照明装置、温度センサ又は加熱装置を持つネットワークにおいて、遠隔制御ユニットの各々は、ユーザが規定したグループ内の機器を個別に制御可能にするため、各単一の機器へのアドレスの仕方、又は受信したセンサ値の適切な処置の仕方についての情報を必要とする。
【０００３】
ネットワークシステムをオペレートするため、ネットワーク装置の各々がネットワーク内でアドレス可能であることが必要である。新しいネットワークが形成されるとき、又はネットワークの構成が変化されるとき、すなわち装置がネットワークに加わるか又は離れるとき、ネットワークの構成化又は試運転が必要とされる。
【０００４】
ネットワークを試運転することは、楽な取付け及びネットワーク部品の「プラグアンドプレイ」振る舞いを期待しているユーザ、特に消費者にとって退屈な作業であり、通常、ネットワークアドレスをネットワーク内の各装置に割り当てる必要があり、当該アドレスは、ネットワークオペレーションを可能にするためにネットワーク内の他の装置へ配信されていなければならない。
【発明の概要】
【発明が解決しようとする課題】
【０００５】
従って、簡単で便利で且つ信頼性がある無線ネットワークシステムの試運転を可能にする無線ネットワークシステムを提供することが、本発明の目的である。
【課題を解決するための手段】
【０００６】
当該目的は、請求項１に従う無線ネットワークシステムと、請求項１４に従う無線ネットワークシステムを試運転する方法とにより解決される。従属請求項は、本発明の好ましい実施例に関する。
【０００７】
本発明の基本的アイデアは、試運転モードで、ネットワークの一部であるネットワーク装置が、加入装置、すなわちネットワークの一部でない装置と通信する、無線ネットワークシステムを提供することである。試運転モードでは、ネットワーク装置は、ネットワーク通信のために必要とされる加入情報を前記加入装置へ供給するので、加入装置はネットワークに加えられ、これは、ネットワークに「加入」又は加入装置のネットワークとの「提携」とも呼ばれる。
【０００８】
本発明による無線ネットワークシステムは、少なくともネットワーク装置及び加入装置を有し、各々が、好ましくは共有媒体である無線媒体上でデータを送信及び受信するための通信インタフェースを持つ。通信インタフェースは、好ましくはＲＦ通信インタフェース、最も好ましくはＩＥＥＥ８０２．１１又はＩＥＥＥ８０２．１５．４のような標準通信プロトコルとの通信用に構成されたＲＦ通信インタフェースであるが、何れのタイプ、例えば光通信インタフェースでもよい。
【０００９】
ネットワーク装置は、更に、少なくともネットワーク構成メモリ及びネットワーク識別情報を有する。ネットワーク識別情報は、少なくともその物理的近傍内で、ネットワークシステムを信頼性があって固有に識別可能にし、このように、ネットワーク識別情報は、少なくとも「実質的に固有」、例えばパーソナルエリアネットワークＩＤであり、ＰＡＮ−ＩＤとしても知られている。好ましくは、ネットワーク識別情報は、ネットワークの固有識別子であり、最も好ましくは工場設定固有識別子である。例えば、ネットワーク識別情報は、通常ＩＥＥＥ  ＭＡＣアドレス、例えば６バイト装置識別子に基づいた、ネットワーク装置自体の全般的な固有識別子（ＵＵＩＤ）でもよい。
【００１０】
ネットワーク識別情報は、ネットワーク装置内でハードコードされるか、又は可変メモリに含まれてもよい。好ましくは、ネットワーク識別情報は、ネットワーク構成メモリに格納される。
【００１１】
加入装置は、当該加入装置を個々に区別可能である何れの種類の情報でもよい既定のアドレスを有する。例えば、既定のアドレスは、工場設定アドレスである。好ましくは、既定のアドレスは、ＭＡＣアドレスである。既定のアドレスは、例えば通信インタフェース内でハードコードされ、又は適当なメモリに含まれてもよい。加入装置は、更に、少なくともネットワークアドレスが格納できる装置構成メモリを有する。装置構成メモリは試運転の間、一度だけ書き込み可能であることで充分であるが、装置構成メモリは、例えば装置が現在のネットワークシステムから除去されたり、他のネットワークシステムに加えられるべき場合に、可変メモリであることが好ましい。もちろん、ネットワーク装置及び加入装置は、他の部品、例えば電源（例えばバッテリ又はメインに接続された電源ユニット）、処理ユニット、ユーザインタフェース又は他のメモリを有してもよい。
【００１２】
ネットワーク装置及び加入装置は、ネットワーク装置が無線媒体内でネットワーク識別情報を報知する少なくとも試運転モードで動作するように構成される。前記報知を受信する加入装置は、ネットワークに加入したいという、少なくともネットワーク装置への既定のアドレスを有するリクエストを返す。ネットワークに加入したいという前記リクエストを受信すると、ネットワーク装置は、加入装置にネットワークアドレスを割り当て、少なくとも前記ネットワークアドレスを有する加入情報を加入装置に送信する。加入装置がネットワークシステム内でまだアドレス可能ではないので、ネットワークに加入したいというリクエストでネットワーク装置へ送信された既定のアドレスを使用してメッセージが加入装置へ送信される。
【００１３】
ネットワーク装置は、前記ネットワークアドレスに対応するデータを少なくともそのネットワーク構成メモリに格納するので、ネットワークアドレスは、ネットワーク内の一つの装置にのみ割り当てられ、２回割り当てることはない。従って、データは、単純なカウンタの形式であってもよいが、好ましくは割り当てられたネットワークアドレスを有するので、ネットワーク装置は、割り当てられたネットワークアドレスを使用して、ネットワーク内の将来の通信のため加入された装置を「知る」ことになる。
【００１４】
本発明の発展によると、ネットワーク構成メモリは、装置がネットワークに２度加えられることを避けるために、既定のアドレスと共に加入装置のネットワークアドレスを有する。
【００１５】
本発明によると、加入装置は、装置構成メモリ内に受信されると、加入情報を格納し、将来の通信のためネットワークアドレスを使用してネットワークシステム内でアドレス可能となる。上記通信の後、加入装置は、ネットワークシステムのメンバとみなされ、試運転が終了する。その後、両方の装置は、ネットワーク内で、例えばネットワーク内で互いに又は他の装置と通信するためネットワーク通信モードで動作可能である。広い意味で、何れの試運転前では、他の装置がネットワークシステム内でアドレス可能ではないので、ネットワークがネットワーク装置によってのみ形成されることは留意されるべきである。他の加入装置がネットワークに加えられるべきとき、上述の試運転が繰り返される。
【００１６】
このように、進歩的な無線ネットワークシステムは、ネットワークシステムの構成が変更される必要がある場合、容易で信頼性がある試運転を可能にする。本発明は、単一のネットワーク装置及び加入装置を参照して説明されたが、本発明は、これに限定されず、ネットワーク通信のために構成された他の装置を有してもよい。更にまた、複数のネットワーク装置がネットワークにあることも可能なので、ネットワーク装置の一つが機能しない場合でも、ネットワークは、単一の中央制御装置を持つネットワークシステムとは対照的に、好適にも再構成可能である。
【００１７】
ネットワークアドレスは、ネットワークシステム内の各装置が個別にアドレス可能であることを可能にする何れの適当な種類でもよい。ネットワークアドレスのフォーマット及び長さは、使用される特定の通信プロトコルに依存し、ネットワークアドレスの長さ、すなわち利用可能なアドレス範囲に関しては、ネットワーク内の装置の数に確実に依存する。個別にネットワークの一部である装置にアドレスすることが必要なだけなので、「ネットワーク広さ」の固有のアドレスが好ましい。最も好ましくは、ネットワークアドレスが短いアドレスであって、既定のアドレスが長いアドレスであり、すなわち、ネットワークアドレスが既定のアドレスよりも短く、これはネットワーク通信のアドレスすることの低減されたネットワーク負荷という利益をもたらす。特に既定のアドレスが、ＭＡＣアドレスのような工場設定の固有のアドレスである場合、既定のアドレスは、どちらかというと長く、効率的なネットワーク通信を妨げる。
【００１８】
ネットワークアドレスは、好ましくは、既定のアドレス割り当てスキームによって、ネットワーク装置により割り当てられる。ネットワークアドレスは、所与のアドレス範囲内で連続して割り当てられてもよいが、使用される通信プロトコルに依存してもよい。
【００１９】
加入情報は、好ましくは、ネットワーク内の通信のために必要とされる他のパラメータを有してもよい。例えば、斯様なパラメータは、暗号化された通信のための安全キーのようなネットワークセキュリティに関係する情報、チャネル番号、例えばＭＡＣチャネル選択、ネットワークシステムの通信プロトコルに依存した規定された通信モード又はネットワークＩＤ衝突を処理するための仲裁情報を有する。他のパラメータは、ハードコードされ、例えば工場設定、すなわち試運転する前にネットワーク装置の適当なメモリ内にプログラムされていてもよい。好ましくは、前記パラメータは、ネットワーク構成メモリに格納される。ネットワーク装置が少なくとも安全キーを有して発する場合、ネットワーク装置は、好ましくは、信用センターと通信する。
【００２０】
試運転モードは、ユーザにより、例えばネットワーク装置及び／又は加入装置上の対応する「加入モード」ボタンを押すことにより始動される。好ましくは、加入装置は、当該装置がネットワークの一部でないとき（しばしば「バージン」装置と呼ばれる）、当該装置がネットワークに既に加入していたのか、試運転モードに入るだけなのかどうかを決定するように構成される。例えば、加入装置は、その装置構成メモリに問い合わせ、装置構成メモリが既にネットワークアドレスを有するかを決定する。装置構成メモリがネットワークアドレスを有さない場合、試運転モードに入るだけである。
【００２１】
代わりに又は追加的に、加入装置は、更に好ましくは、ネットワーク装置が加入装置の所定の近傍内にある場合、試運転モードに入るように構成される。斯様な近傍測定は、例えばネットワーク識別情報の報知のようなネットワーク装置の通信の受信された信号強度（ＲＳＳＩ）を決定することによりなされる。装置構成メモリが空でない場合、すなわち加入装置がネットワークシステム内での使用のために既に構成されている場合、前記近傍が前のネットワークシステムの構成パラメータを除去するように検出されるとき、リセットが好ましくは、なされてもよい。
【００２２】
好ましくは、ネットワーク装置及び／又は加入装置各々は、通信インタフェースを介して少なくとも命令を送信／受信するために適合され、試運転モード及び／又はネットワーク通信モードで装置の各々の挙動の少なくとも一部を実行する中央処理ユニットを有する。装置の挙動は、メモリ内に含まれる適当なプログラミングを使用して、少なくとも部分的に中央処理ユニットにより制御される。
【００２３】
既に前述したように、ネットワーク装置及び加入装置の通信インタフェースは、標準ネットワークシステムでの使用のために構成される。従って、試運転モードでの通信は、無線通信が確立される今日知られている何れの適当な通信プロトコルにも対応する。本発明を実行するための好ましい通信プロトコルの適当なグループは、通常、アドホック無線ネットワークシステムと呼ばれている。
【００２４】
本発明を実行するための特に適当な、従って好ましい通信プロトコルは、Ｚｉｇｂｅｅである。本発明は、これに限定されないが、例示の目的でＺｉｇｂｅｅを参照して以下に説明される。
【００２５】
Ｚｉｇｂｅｅは、オープンスタンダードであり、物理的リンクレイヤ（ＰＨＹ）及びメディアアクセス制御レイヤ（ＭＡＣ）を規定する、ＩＥＥＥ８０２．１５．４通信プロトコルに基づく。Ｚｉｇｂｅｅは、このプロトコルを使用し、ＩＥＥＥ８０２．１５．４により供給されるＭＡＣレイヤのトップ上のアプリケーションレイヤ（ＡＰＬ）及びネットワークレイヤ（ＮＷＫ）を規定する。Ｚｉｇｂｅｅ及びＺｉｇｂｅｅプロトコルスタックの説明は、Ｚｉｇｂｅｅ仕様書、例えばＺｉｇｂｅｅ  Ａｌｌｉａｎｃｅ社から利用可能な２００７年１０月１９日付けの［Ｚｉｇｂｅｅ２００７］を説明しているドキュメント０５３４７４ｒ１７に開示されている。
【００２６】
Ｚｉｇｂｅｅを参照すると、好ましくは既定のアドレスは、しばしば拡張アドレスとも呼ばれるＭＡＣアドレスに対応し、前記ネットワークアドレスは、好ましくはＺｉｇｂｅｅショートネットワークアドレスに対応する。
【００２７】
本発明の好ましい実施例によると、ネットワーク装置はエンド装置である。本願では、用語「エンド装置」は、ルート設定の能力を持たず、ネットワークシステム内で必ずしも永久に活動するわけではないネットワーク装置として理解される。装置は、長期間「休眠」すなわちスリープモードにあり、送信が必要とされるときだけ活動してもよい。このようにして、その全体の電力消費は劇的に低減される。好ましくは、ネットワーク装置は、Ｚｉｇｂｅｅエンド装置に対応し、最も好ましくは、ネットワーク装置は、Ｚｉｇｂｅｅによる低減された機能装置（ＲＦＤ）である。
【００２８】
本発明の好ましい実施例によると、ネットワーク装置はモバイル装置であり、ここで、用語「モバイル」は手によって容易に移動可能な、すなわち適切なサイズ及び重量を持つ装置を含むと理解される。好ましくは、モバイル装置は、メイン電源に接続されていず、例えばバッテリ又は他の適当な電源を持つ。
【００２９】
本発明の発展によると、ネットワーク装置は、アプリケーション制御コマンドをネットワーク内の他の装置へ送信し、及び／又はネットワーク内の他の装置へアプリケーションデータを受信するためのユーザ制御インタフェースを更に有する第１の制御装置である。本願では、用語「ユーザ制御インタフェース」は、送信されるべきアプリケーション制御コマンドの始動のための入力インタフェース又はアプリケーションデータ値の表示のための表示装置のような、ユーザとのインタラクションのための何れのインタフェースも含むと理解される。例えば、ユーザ制御インタフェースは、幾つかのボタン及び／又はＬＣＤディスプレイを有してもよい。
【００３０】
アプリケーション制御コマンドは、例えば、ネットワーク内の装置に接続される、照明ユニットをオンオフ切り換えるためのアプリケーション装置を制御するための何れの種類のコマンドでもよく、ネットワーク構成又はネットワーク管理目的を意図したネットワーク制御コマンドとは対照的である。同じことが、例えば接続されたセンサのセンサ読み出しを有する、アプリケーションデータ値に当てはまる。
【００３１】
Ｚｉｇｂｅｅのような無線ネットワークを参照すると、前記アプリケーション制御コマンド及びアプリケーションデータ値は、アプリケーションレイヤ上の通信に関連し、アプリケーションオブジェクトに対応する。
【００３２】
本発明の実施例のセットアップによると、第１の制御装置は、好適には、試運転モードで上述された試運転機能と、更にまたアプリケーション機能、すなわちネットワーク通信モードでアプリケーション制御コマンドを送信するか又はアプリケーションデータ値を受信するアプリケーション機能とを提供する。よって、試運転のための他の専用装置が必要とされず、好適にもネットワークの複雑さを低減させ、更にユーザのための操作性を強化する。
【００３３】
本発明の実施例による第１の制御装置は、コンピュータ又は単なる壁スイッチでもよいが、好ましくは、バッテリ動作されるリモートコントロールである。
【００３４】
本発明の発展によると、加入装置は、アプリケーション制御コマンドを受信し、及び／又はアプリケーションデータ値を送信するように構成された、アプリケーションインタフェースを有する機能装置である。アプリケーションインタフェースは、例えば制御、スイッチング又はセンサ機能を実施するためのアプリケーション装置と接続可能である。アプリケーション装置は、照明ユニット、加熱装置又は電気的に制御可能な装置の何れかのタイプのような何れの適当な種類でよい。例えば、接続された照明ユニットの場合に、アプリケーションインタフェースは、対応するアプリケーション制御コマンドを受信すると、照明ユニットを調光するために照明ユニットのオンオフを切り換えるように構成される。更に、アプリケーションインタフェースは、代わりに又は追加的に、接続されたアプリケーション装置のアプリケーションデータ値、例えば温度センサの温度読取値、水若しくは電気メータの読取値、又は煙若しくは火災検出器の警告を送信するように構成される。
【００３５】
好ましくは、機能装置は、アプリケーション装置、例えば照明ユニットと一体化されている。
【００３６】
特に、たくさんの装置を持つ拡大無線ネットワークシステムでは、更なる強化された操作性を可能にするために、複数の制御装置を提供することが必要である。好ましい実施例によると、加入装置は、ネットワーク内の他の装置へアプリケーション制御コマンドを送信し、及び／又は他の装置からアプリケーションデータ値を受信するためのユーザ制御インタフェースを有する第２の制御装置である。
【００３７】
この場合、第２の制御装置は、好ましくは更に、ネットワーク構成メモリを有するので、ネットワークに加入すると第２の制御装置自体が、試運転モードを起動し、すなわち、他の加入装置と通信し、ネットワークアドレスを割り当てる。制御装置の一つが失敗した場合でも、試運転が可能であり、ネットワークは充分に動作可能であるので、この好ましい実施例によるセットアップは、好適にも、ネットワークシステムの信頼性を強化する。更に、複数の制御装置を備えるネットワークを同時に試運転することが、好適にも可能である。
【００３８】
単一のネットワークアドレスが、ネットワークに加入された第２の制御装置により２度割り当てられることを回避するためのネットワークアドレス割り当ての方法が好ましい。本発明の発展によると、第１の制御装置は、規定のアドレス範囲で第２の制御装置を追加的に割り当てるように構成されるので、試運転モードで第２の制御装置に転送される加入情報がアドレス範囲情報を有する。アドレス範囲情報は、ネットワークに加入するとネットワークアドレスを新しい加入装置に割り当てるために第２の制御装置により使用される。第１の制御装置がアドレス範囲を占有されたものとしてマークするので、ネットワークアドレスの重複が発生せず、すなわち、ネットワークアドレスが第１及び第２の制御装置により２度割り当てられることはない。
【００３９】
アドレス範囲割り当ての方法は、従来から知られている。例えば、第１の制御装置は、第２の制御装置に所定の数のアドレスを割り当てるか、又は無線ネットワークのプロトコルに依存して、所与の分配スキームに従ってアドレス範囲を分割する。例えば、Ｚｉｇｂｅｅネットワークでは、ショートネットワークアドレスが、通常１６ビット長であるので、総数６５６３５が割り当て可能である。従って、第１の制御装置は、アドレス番号１−３２７６８を有するアドレス範囲を第２の制御装置に割り当てるので、アドレス番号３２７６９−６５６３５が、第１の制御装置のために割り当て可能に残っている。確かに、第２の制御装置は、他の制御装置等を試運転してもよいので、複数の制御装置がネットワーク内に存在してもよい。
【００４０】
上述のアドレス割り当てを参照し、Ｚｉｇｂｅｅプロトコルを使用して、好ましくは、好適な「フラット」ネットワークアドレス割り当てを可能にするＺｉｇｂｅｅＰｒｏが使用される。ＺｉｇｂｅｅＰｒｏ及び対応する通信スタックの説明は、Ｚｉｇｂｅｅ  Ａｌｌｉａｎｃｅ社から利用可能な２００８年１月付けのドキュメント０７４８５５ｒ０５に開示されている。
【００４１】
試運転の間、すなわち試運転モードでは、ネットワーク内の通信が、例えばネットワーク通信が暗号化されている場合に可能ではないので、試運転モードでは、ネットワーク装置及び加入装置の通信インタフェースが、ネットワーク外の通信用に構成される。Ｚｉｇｂｅｅを参照すると、試運転モードでの通信は、好ましくは、Ｚｉｇｂｅｅ  Ａｌｌｉａｎｃｅ社から利用可能な２００７年１０月１９日付けの「Ｚｉｇｂｅｅ２００７」を説明するドキュメント０５３４７４ｒ１７に説明されているようなＺｉｇｂｅｅ  ｇｌｏｂａｌ  ＰＡＮ−ＩＤ送信に対応する。
【００４２】
Ｇｌｏｂａｌ  ＰＡＮ−ＩＤ送信フレームは、特定の確保されたＰＡＮ番号、例えばＤｓｔＰＡＮＩＤ＝０ｘＦＦＦＦでアドレスされるので、斯様な送信フレームは、ルーティングされて、送信範囲の各装置により受信される。同じＺｉｇｂｅｅネットワーク内にある必要が必ずしもない装置間の通信が可能であり、すなわちネットワーク外の通信を提供する。
【００４３】
代わりに、又は追加して、本発明による展開によると、試運転モードにおける通信は、Ｚｉｇｂｅｅ  Ｉｎｔｅｒ−ＰＡＮ伝送に対応する。Ｚｉｇｂｅｅ  Ｉｎｔｅｒ−ＰＡＮ伝送は、Ｚｉｇｂｅｅ  Ａｌｌｉａｎｃｅ社から利用可能な２００８年５月２９日付けのドキュメント０７５３５６ｒ１４に開示されているようなＺｉｇｂｅｅスマートエネルギプロファイルに規定されている。
【００４４】
Ｚｉｇｂｅｅ  Ｉｎｔｅｒ−ＰＡＮ伝送を使用して、ネットワーク装置が、限定された態様でＺｉｇｂｅｅネットワークの一部ではない、他の装置と情報を交換することが可能である。
【００４５】
Ｚｉｇｂｅｅ  Ｉｎｔｅｒ−ＰＡＮ伝送フレームのフォーマットは、ＮＷＫレイヤ内にネットワークアドレスを有さず、所望の行き先装置のＭＡＣアドレスでアドレスされる。Ｚｉｇｂｅｅ  Ｉｎｔｅｒ−ＰＡＮ伝送の使用は、Ｚｉｇｂｅｅネットワークを「オープン」にする必要なく、すなわち、加入装置を加えるためにセキュリティ手段を一時的に不能にする必要なく、Ｚｉｇｂｅｅネットワークの装置と、Ｚｉｇｂｅｅネットワークの一部ではない加入装置との間の信頼性が高い通信を可能にするので、特に有効である。
【００４６】
本発明の好ましい実施例によると、ネットワーク装置は、少なくとも一つの既定の近接値を有し、加入装置が、当該加入装置とネットワーク装置との間の距離に関係する近接情報を供給するように構成される。加入装置は、近接情報をネットワーク装置へ送信し、ネットワーク装置は既定値が近接情報と一致するかどうかを決定するので、加入情報は、近接情報が既定値と一致する場合だけ加入装置に送信される。このように、本実施例は、ネットワーク装置との規定の距離内に配された、信頼性があるとみなされる装置だけが、ネットワークに加入できるので、無線ネットワークシステムのより安全な構成を好適にも可能にする。例えば、家庭環境内で、近隣の新しくて構成が行われていない装置がネットワークに偶発的に加わらないことが好ましい。
【００４７】
近接情報は、加入装置とネットワーク装置との間の物理的距離を決定可能にする何れかの情報を含む。近接情報は、好ましくは、ネットワーク装置に送信される加入装置の通信の信号強度、例えば加入装置のメッセージ内に固有に含まれる、ネットワークに加入するためのリクエストの信号強度に対応する。代わりに又は追加的に、加入装置は、ネットワーク装置の通信の信号強度、例えば受信した報知の信号強度を決定するように構成されるので、近接情報は、ネットワーク装置の受信された通信の信号強度に対応する。
【００４８】
最も好ましくは、近接情報は、ネットワークに加入するためネットワーク装置に送信されるリクエストに含まれる。
【００４９】
既定の近接値は、近接値と近接情報とを比較可能にする何れかの適当な種類の値である。例えば、近接値は、規定の距離に対応する閾値の形式であるので、加入装置は、当該加入装置により供給される近接情報が前記閾値より低い、すなわち加入装置が規定の距離より近い場合にだけ、ネットワークに加入することができる。既定の近接値は、ネットワーク装置内でハードコードされているか、又は適当なメモリ内に含まれるので、所望のアプリケーションに従って近接値を適応させることが可能である。
【００５０】
本発明の好ましい実施例によると、ネットワーク装置は、近接信号を供給するように構成された近接信号送信器を有する。加入装置は、近接検出器を有し、近接信号の強度を決定するように構成されるので、近接情報は、近接信号の受信した信号強度に一致する。本実施例によるアレンジメントは、近接信号送信器と検出器との間の通信が、通信インタフェースの通信プロトコル及び通信に独立して、近接検出に特に適応できるので、改善された近接検出を可能にする。よって、第２の通信チャネルは、装置の物理的近接を決定するために好適に形成され、試運転モードでの強化された安全性を可能にする。好ましくは、近接情報は、受信した近接信号の受信信号強度（ＲＳＳＩ）に対応する。
【００５１】
近接信号送信器及び検出器は、信号の伝送を規定の範囲内で互いに可能にする何れの適当なタイプでもよい。好ましくは、近接送信器は赤外線送信器であり、検出器は赤外線検出器である。
【００５２】
近接の決定の代わりに又は追加的に、ネットワーク装置は既定のコードデータを有することが好ましい。第２の信号伝送器が、加入装置へのコードデータと対応する信号を送信するために供給される。加入装置は、第２の信号受信器を有し、信号を受信すると、通信インタフェースを使用して、無線媒体を介して対応する照合情報をネットワーク装置へ送信する。ネットワーク装置は、前記照合情報がコードデータと一致するかどうかを決定し、一致する場合、加入情報を加入装置に送信するので、加入装置は、ネットワークシステムに加えられる。
【００５３】
第２の信号伝送器及び受信器は、ネットワーク通信から独立して、より安全な通信を可能にし、よって「信頼される」チャネルである他の通信チャネルを形成する。コードデータは、「共有される秘密」としてみなされる、すなわち照合情報の形式なので、コードデータを受信しネットワーク装置にコードデータを正しく返す加入装置だけが、ネットワークに加入することが許容される。本実施例のセットアップは、好適に更に、試運転の安全性を強化する。
【００５４】
上述の実施例に代わり、本発明の好ましい実施例によると、加入装置は、既定のコードデータを有する。本実施例によると、加入装置は、第２の信号伝送器を有し、ネットワーク装置は第２の信号受信器を有する。コードデータに対応する信号は、第２の信号伝送器及び受信器を使用して、ネットワーク装置へ伝送される。加えて、コードデータに対応する照合情報が、通信インタフェースを使用して無線媒体を介してネットワーク装置へ伝送されるので、ネットワーク装置は、コードデータが照合情報と対応するかどうかを決定する。
【００５５】
第２の信号伝送器及び受信器を使用する通信が信頼されるとみなされるので、本実施例は、更に試運転の安全性を強化する。
【００５６】
コードデータ及び照合情報は、上記決定を可能にするための何れの適当なタイプ及びフォーマットでもよい。例えば、コードデータ及び照合情報は、数値、ランダムに生成されたストリング、又は例えば信頼されたチャネル上の伝送に適合した何れの種類のセキュリティキーでもよい。確かに、コードデータ及び照合情報は、コードデータが照合情報と対応するかの決定が可能な限り、同一である必要はない。
【００５７】
加入装置がコードデータを有する場合、既定のコードデータは、好ましくは既定のアドレスと対応する。よって、加入装置は、信頼されたチャネル上の既定のアドレスを使用してその存在を「アナウンス」する。照合情報、すなわち既定のアドレスが、無線媒体を介してネットワーク装置へ送信されるので、ネットワーク装置は、ネットワークに加入したいというリクエストが受信されると、ネットワークへの加入を要求する加入装置が信頼されたチャネル上でその存在を既にアナウンスしたかどうか、よって信頼する価値があるとみなされるかを決定できる。
【００５８】
照合情報は、試運転に必要とされる時間を低減し、通信効率を強化するために、好ましくは、ネットワークに加入するためのリクエストに含まれて、試運転中に、ネットワーク装置へ送信される。
【００５９】
第２の信号伝送器及び第２の受信器は、規定の範囲内で信号を互いに伝送可能にする何れの適当なタイプでもよい。好ましくは、第２の信号伝送器及び受信器は、無線動作用に構成される。例えば、第２の信号伝送器及び受信器は、ＲＦ通信、音響又は光通信用に構成される。
【００６０】
本発明の好ましい実施例によると、第２の信号伝送器伝送範囲は、通信インタフェースの伝送範囲より小さい。好ましくは、伝送範囲は、２０ｍより小さく、最も好ましくは１０ｍ以下である。
【００６１】
本発明の発展によると、第２の信号伝送器及び受信器は、「見通し線」だけの通信用に構成される。少なくとも伝送器及び受信器は、それぞれ放射又は受信の限定された角度範囲を持つ。好ましくは、角度範囲は、１０°より小さく、最も好ましくは５°以下である。この実施例は、ユーザによる試運転を制御することを改善されたやり方で可能にする。例えば、ネットワーク装置を、ネットワークに加入される加入装置へポイントすることが可能であり、「タッチリンク」機能を提供する。これは、多くの未だ構成されていない装置がネットワーク装置の近傍に存在するが、ユーザが特定の装置を選択し、この装置をネットワークへ加えたいと所望する場合に、特に好適である。
【００６２】
最も好ましくは、第２の信号伝送器が赤外線伝送器であり、第２の信号受信器が赤外線受信器である。斯様なセットアップは、装置の近接のコスト効果があって信頼性がある検出を可能にし、「見通し線」タイプの動作を提供する。
【００６３】
コードデータの交換に基づいた、前述の実施例は、ネットワーク装置との加入装置の近接が決定される実施例で制限されることなく組み合わせられてもよい。
【００６４】
少なくともネットワーク装置及び加入装置を備える無線ネットワークシステムを試運転する進歩性ある方法によると、ネットワーク装置は、ネットワーク識別情報を報知し、加入装置は、ネットワーク識別情報を受信すると、加入装置の既定のアドレスを有するリクエストを、ネットワークに加入するためにネットワーク装置へ送信する。ネットワーク装置は、加入装置をネットワークアドレスに割り当て、対応するデータを格納する。ネットワーク装置は、既定のアドレスを使用して、少なくともネットワークアドレスを有する加入情報を加入装置へ送信し、加入装置は、ネットワークアドレスを受信するので、加入装置は、ネットワークアドレスを使用してネットワークシステムにアドレス可能である。
【００６５】
上述の目的は、更に、請求項１６に記載の本発明の第２の態様に対応する無線ネットワークシステムにより解決される。従属請求項１７乃至２１は、本発明の第２の態様の好ましい実施例に関係する。
【００６６】
本発明の第２の態様の基本的アイデアは、第１のネットワークシステムの一部であるネットワーク装置が、発見モードの第２のネットワークシステムの一部である加入装置と通信する無線ネットワークシステムを提供することである。発見モードでは、ネットワーク装置が発見メッセージを報知し、第２のネットワークシステムの加入装置は、発見メッセージを受信すると、第１のネットワークシステムに加入するための試運転モードに入るので、加入装置が第１のネットワークシステムにアドレス可能となる。発見モードの動作のセキュリティを強化するために、以下に詳細に説明される近接状況が満たされる場合の加入装置だけが試運転モードに入る。
【００６７】
本発明のこの態様は、加入装置がネットワークシステム内での動作のために既に構成されている、すなわち加入装置が「バージン」でない、構成がまだの装置ではないにもかかわらず、加入装置が第１のネットワークシステムに加わることを許容する。例えば、退屈な分離工程によって、第２のネットワークシステムから加入装置をユーザが明確に分断することが好適にも必要ではなく、従って無線ネットワークシステムの利用可能性を強化し、安全で便利なプラグアンドプレイの振る舞いを可能にする。
【００６８】
本発明のこの態様による無線ネットワークシステムは、少なくともネットワーク装置及び加入装置を有し、各々が無線媒体、好ましくは共有した媒体を介してデータを伝送及び受信するための通信インタフェースを持つ。通信インタフェースは、好ましくはＲＦ通信インタフェース、最も好ましくは、ＩＥＥＥ８０２．１１又はＩＥＥＥ８０２．１５．４のような、標準通信プロトコルとの通信用に構成されたＲＦインタフェースであるが、例えば光通信インタフェースのような何れの適当なタイプでもよい。
【００６９】
ネットワーク装置は、第１のネットワークシステムでの動作用に構成されている一方、加入装置は、第２のネットワークシステムでの動作用に構成されていて、すなわち装置が、例えばそれぞれのネットワークの他の装置との通信のためのネットワーク通信モードで、種々異なるネットワーク内の通信用に構成されている。
【００７０】
本願では、用語「ネットワークシステム」は、規定のネットワークアドレスを使用して、互いに通信可能な一つ以上の装置の論理ネットワークを指す。第１及び第２のネットワークシステムは、例えばパーソナルエリアネットワーク（ＰＡＮ）であり、各々が、少なくとも物理的近傍でそれぞれのネットワークシステムを信頼性が高く固有に識別可能にする、固有のネットワーク識別情報、例えばＰＡＮ−ＩＤを持つ。
【００７１】
本発明によると、加入装置は、第２のネットワークシステムでアドレス可能であるネットワークアドレスを少なくとも備えて構成される。ネットワーク装置は、また第１のネットワークシステムでの通信のためのネットワークアドレスを備えて構成されるが、例えば第１のネットワークシステムが試運転の前に前記ネットワーク装置によってのみ形成される場合は、ネットワークアドレスは必要ではない。
【００７２】
確かに、使用されるそれぞれの通信プロトコルに依存して、装置は、各それぞれのネットワークにおいてネットワーク通信のための他のパラメータ、例えば暗号化された通信のためのセキュリティキーのようなネットワークセキュリティに関係する情報、チャネル番号、例えばＭＡＣチャネル選択、ネットワークＩＤ衝突を処理するための仲裁情報又は規定の通信モードを備える。
【００７３】
ネットワークアドレスは、それぞれのネットワークシステム内の装置が個別にアドレス可能であることを可能にする何れの適当な種類でもよい。ネットワークアドレスのフォーマット及び長さは、使用される特定の通信プロトコルに依存し、ネットワークアドレスの長さに関しては、利用可能なアドレス範囲に依存し、ネットワーク内の装置の数にも確かに依存する。ネットワークアドレスは、個別にネットワークの一部である装置にアドレスする必要があるだけなので、「ネットワークの広さの」固有のアドレスが好ましい。
【００７４】
ネットワークアドレス及び可能性がある他のパラメータは、ハードコードされ、例えば工場設定されるか、又はそれぞれの装置の適当なメモリにプログラムされてもよい。加入装置は、更に、以下に詳細に説明される既定の近接値を有する。
【００７５】
ネットワーク装置及び加入装置は、例えば、バッテリ若しくはメイン電源に接続される電源ユニット、プロセッサユニット、ユーザインタフェース又はメモリのような他の部品を確かに有する。好ましくは、ネットワーク装置及び／又は加入装置各々は、通信インタフェースを介して少なくとも命令を送信／受信するために適合され、例えば、メモリに含まれる適当なプログラムを使用して、それぞれの挙動の少なくとも一部を実行する中央処理ユニットを有する。
【００７６】
本発明によると、ネットワーク装置及び加入装置は、ネットワーク装置が近接情報を供給する発見メッセージを無線媒体内に報知する、発見モードで少なくとも動作するように構成される。近接情報は、ネットワーク装置と加入装置との間の距離に対応する。発見メッセージを受信する加入装置は、前記近接情報が既定の近接値に対応するかどうかを決定するように構成される。近接情報が近接値に対応する場合、加入装置は、試運転モードに入るので、加入装置は、第１のネットワークシステムでアドレス可能である。
【００７７】
試運転モードでは、加入装置は、第１のネットワークシステムでの通信のための少なくともネットワークアドレスを有する「加入情報」でプログラムされる。ネットワークシステムの通信プロトコルに依存して、加入情報は、第１のネットワークシステムでの通信のために必要な他のパラメータを有する。例えば、斯様なパラメータは、ネットワークシステムの通信プロトコルに依存して、暗号化された通信のためのセキュリティキーのようなネットワークセキュリティに関係する情報、チャネル番号、例えばＭＡＣチャネル選択、ネットワークＩＤ衝突を処理するための仲裁情報又は規定の通信モードを有する。
【００７８】
ネットワーク装置が少なくともセキュリティキーを有して発する場合、ネットワーク装置は、好ましくは、信用センターに通信する。加入情報は、例えば、第１のネットワーク又は第１のネットワークシステムの他の装置により、試運転モード中又は試運転モード前に、加入装置へ伝送される。
【００７９】
試運転の後で、加入装置は、第１のネットワークシステムのメンバとみなされ、両装置が動作可能であり、互いと通信でき、第１のネットワークシステム内の可能性のある他の装置と通信できる。
【００８０】
発見モードは、例えばネットワーク装置及び／又は加入装置上の対応の「発見」ボタンを押すことによりユーザにより始動される。好ましくは、ネットワーク装置及び／又は加入装置は、動作の間はずっと発見モードにあるので、ユーザの関与は必要とされず、無線ネットワークシステムのプラグアンドプレイ挙動を更に強化する。
【００８１】
近接情報は、加入装置とネットワーク装置との間の物理的距離を決定可能にする全ての情報を含む。近接情報は、好ましくは、加入装置へ送信されるネットワーク装置の通信の信号強度、例えば発見メッセージの信号強度と対応し、よって、本質的に発見メッセージに含まれている。
【００８２】
既定の近接値は、近接値を近接情報と比較可能な何れの適当な種類でもよい。例えば、近接値は、規定された距離に対応する閾値の形式でもよいので、近接情報が閾値より低い場合、すなわちネットワーク装置が規定された距離より加入装置に近い場合の加入装置だけが試運転モードに入る。既定の近接値は、加入装置内にハードコードされるか、又は適当なメモリに含まれるので、所望のアプリケーションに従って近接値を適合させることが可能である。好ましくは、近接値は、２ｍ未満の距離、最も好ましくは０．５ｍの距離に対応する近接閾値であるので、ネットワーク装置が加入装置に規定された近接閾値より近い場合にだけ、試運転モードに入る。
【００８３】
既に上述されているように、ネットワーク装置及び加入装置の通信インタフェースは、標準ネットワークシステム用に構成されていてもよい。従って、発見モードでの通信は、無線通信が確立される今日知られている何れの適当な通信プロトコルに対応する。本発明のこの態様を実行するための好ましい通信プロトコルの適当なグループは、通常、アドホック無線ネットワークシステムと呼ばれる。
【００８４】
本発明を実行するための特に適当で好ましい通信プロトコルは、Ｚｉｇｂｅｅである。従って、通信インタフェースは、最も好ましくはＺｉｇｂｅｅネットワークシステムように構成される。本発明はこれに限定されるわけではないが、例示目的でＺｉｇｂｅｅを参照して以下に説明される。
【００８５】
Ｚｉｇｂｅｅは、オープンスタンダードであり、物理的リンクレイヤ（ＰＨＹ）及び媒体アクセス制御レイヤ（ＭＡＣ）を規定するＩＥＥＥ８０２．１５．４通信プロトコルに基づいている。Ｚｉｇｂｅｅはこのプロトコルを使用し、ＩＥＥＥ８０２．１５．４により提供される、ＭＡＣレイヤの上部にネットワークレイヤ（ＮＷＫ）及びアプリケーションレイヤ（ＡＰＬ）を規定する。Ｚｉｇｂｅｅ及びＺｉｇｂｅｅプロトコルスタックの説明は、例えば、Ｚｉｇｂｅｅ  Ａｌｌｉａｎｃｅ社から利用可能な２００７年１０月１９日付けのドキュメント０５３４７４ｒ１７でのＺｉｇｂｅｅ仕様書に開示されている。
【００８６】
Ｚｉｇｂｅｅを参照すると、ネットワークアドレスは、好ましくは、Ｚｉｇｂｅｅショートネットワークアドレスに対応する。ネットワーク識別情報は、好ましくは、ＺｉｇｂｅｅＰＡＮ−ＩＤと対応し、最も好ましくは拡張されたＰＡＮ−ＩＤと対応する。
【００８７】
本発明の好ましい実施例によると、ネットワーク装置はエンド装置である。本願では、「エンド装置」は、ルート設定の能力を持たず、ネットワークシステム内で必ずしも永久に活動するわけではないネットワーク装置である。装置は、長期間「休眠」すなわちスリープモードにあり、送信が必要とされるときだけ活動してもよい。このようにして、その全体の電力消費は劇的に低減される。好ましくは、ネットワーク装置は、Ｚｉｇｂｅｅエンド装置に対応し、最も好ましくは、ネットワーク装置は、Ｚｉｇｂｅｅによると低減された機能装置（ＲＦＤ）である。
【００８８】
本発明の好ましい実施例によると、ネットワーク装置はモバイル装置であり、ここで、用語「モバイル」は手によって容易に移動可能な、すなわち適切なサイズ及び重量を持つ装置を含むと理解される。好ましくは、モバイル装置は、メイン電源に接続されていず、例えばバッテリ又は他の適当な電源を持つ。
【００８９】
本発明の発展によると、ネットワーク装置は、アプリケーション制御コマンドをネットワーク内の他の装置へ送信し、及び／又はネットワーク内の他の装置へアプリケーションデータを受信するためのユーザ制御インタフェースを更に有する第１の制御装置である。本願では、用語「ユーザ制御インタフェース」は、送信されるべきアプリケーション制御コマンドの始動のための入力インタフェース又はアプリケーションデータ値の表示のための表示装置のような、ユーザとのインタラクションのための何れのインタフェースも含むと理解される。例えば、ユーザ制御インタフェースは、幾つかのボタン及び／又はＬＣＤディスプレイを有してもよい。
【００９０】
アプリケーション制御コマンドは、例えば、ネットワーク内の装置に接続される、照明ユニットをオンオフ切り換えるためのアプリケーション装置を制御するための何れの種類のコマンドでもよく、ネットワーク構成又はネットワーク管理目的を意図したネットワーク制御コマンドとは対照的である。同じことが、例えば接続されたセンサのセンサ読み出しを有する、アプリケーションデータ値に当てはまる。
【００９１】
Ｚｉｇｂｅｅのような無線ネットワークに参照すると、前記アプリケーション制御コマンド及びアプリケーションデータ値は、アプリケーションレイヤ上の通信に関連し、アプリケーションオブジェクトに対応する。
【００９２】
本発明の実施例のセットアップによると、第１の制御装置は、好適には、発見モードで上述された発見機能と、更にまたアプリケーション機能、すなわちネットワーク通信モードでアプリケーション制御コマンドを送信するか又はアプリケーションデータ値を受信するアプリケーション機能とを提供する。よって、アプリケーション制御のための他の専用装置がネットワークシステムで必要とされず、好適にもネットワークの複雑さを低減させ、更にユーザのための操作性を強化する。
【００９３】
本発明の実施例による第１の制御装置は、コンピュータ又は単なる壁スイッチでもよいが、好ましくは、バッテリ操作されるリモートコントロールである。
【００９４】
本発明の発展によると、加入装置は、アプリケーション制御コマンドを受信し、及び／又はアプリケーションデータ値を送信するように構成された、アプリケーションインタフェースを有する機能装置である。アプリケーションインタフェースは、例えば制御、スイッチング又はセンサ機能を実施するためのアプリケーション装置と接続可能である。アプリケーション装置は、照明ユニット、加熱装置又は電気的に制御可能な装置の何れかのタイプのような何れの適当な種類でよい。例えば、接続された照明ユニットの場合に、アプリケーションインタフェースは、対応するアプリケーション制御コマンドを受信すると、照明ユニットを調光するために照明ユニットのオンオフを切り換えるように構成される。更に、アプリケーションインタフェースは、代わりに又は追加的に、接続されたアプリケーション装置のアプリケーションデータ値、例えば温度センサの温度読取値、水若しくは電気メータの読取値、又は煙若しくは火災検出器の警告を送信するように構成される。
【００９５】
好ましくは、機能装置は、アプリケーション装置、例えば照明ユニットと一体化されている。
【００９６】
特に、たくさんの装置を持つ拡大無線ネットワークシステムでは、更なる強化された操作性を可能にするために、複数の制御装置を提供することが必要である。好ましい実施例によると、加入装置は、ネットワーク内の他の装置へアプリケーション制御コマンドを送信し、及び／又は他の装置からアプリケーションデータ値を受信するためのユーザ制御インタフェースを有する第２の制御装置である。
【００９７】
発見モードでは、ネットワーク通信が、例えばネットワーク通信が暗号化されている場合に可能ではないので、発見モードでは、ネットワーク装置及び加入装置の通信インタフェースが、ネットワーク外の通信用に構成される。
【００９８】
Ｚｉｇｂｅｅを参照して本発明の好ましい実施例によると、発見メッセージは、Ｚｉｇｂｅｅ  Ａｌｌｉａｎｃｅ社から利用可能な２００７年１０月１９日付けの「Ｚｉｇｂｅｅ２００７」を説明するドキュメント０５３４７４ｒ１７に説明されているようなＺｉｇｂｅｅ  ｇｌｏｂａｌ  ＰＡＮ−ＩＤ送信に対応する。Ｇｌｏｂａｌ  ＰＡＮ−ＩＤ送信フレームは、特定の確保されたＰＡＮ番号、例えばＤｓｔＰＡＮＩＤ＝０ｘＦＦＦＦでアドレスされるので、斯様な送信フレームは、ルーティングされ送信範囲で各装置により受信される。よって、同じＺｉｇｂｅｅネットワーク内にある必要が必ずしもない装置間の通信が可能であり、すなわちネットワーク外の通信を提供する。
【００９９】
代わりに、又は追加して、本発明による展開によると、発見メッセージは、Ｚｉｇｂｅｅ  Ｉｎｔｅｒ−ＰＡＮ伝送に対応する。Ｚｉｇｂｅｅ  Ｉｎｔｅｒ−ＰＡＮ伝送は、Ｚｉｇｂｅｅ  Ａｌｌｉａｎｃｅ社から利用可能な２００８年５月２９日付けのドキュメント０７５３５６ｒ１４に開示されているようなＺｉｇｂｅｅスマートエネルギプロファイルに規定されている。
【０１００】
Ｚｉｇｂｅｅ  Ｉｎｔｅｒ−ＰＡＮ伝送を使用して、ネットワーク装置が、限定された態様でＺｉｇｂｅｅネットワークの一部である必要は必ずしもない、他の装置と情報を交換することが可能である。
【０１０１】
Ｚｉｇｂｅｅ  Ｉｎｔｅｒ−ＰＡＮ伝送フレームのフォーマットは、ＮＷＫレイヤ内にネットワークアドレスを有さず、所望の行き先装置のＭＡＣアドレスでアドレスされる。Ｚｉｇｂｅｅ  Ｉｎｔｅｒ−ＰＡＮ伝送の使用は、Ｚｉｇｂｅｅネットワークを「オープン」にする必要なく、すなわち、加入装置を加えるためにセキュリティ手段を一時的に不能にする必要なく、Ｚｉｇｂｅｅネットワークの装置と、Ｚｉｇｂｅｅネットワークの一部ではない加入装置との間の信頼性が高い通信を可能にするので、特に有効である。
【０１０２】
確かに、試運転モードでの他の通信は、Ｚｉｇｂｅｅ  ｇｌｏｂａｌ  ＰＡＮ−ＩＤ及び／又はＩｎｔｅｒ−ＰＡＮ伝送をそれぞれ使用して、好ましくは実施されてもよい。
【０１０３】
本発明の発展によると、加入装置は、少なくともネットワークアドレスを格納するための装置構成メモリを有する。近接情報が近接値に一致する場合、加入装置は、装置構成メモリをリセットするように構成される。
【０１０４】
本発明のこの展開は、加入装置が、発見モードで前のネットワークシステムから、すなわち第２のネットワークシステムから安全に除去されることを、好適にも提供する。装置構成メモリは、少なくとも第２のネットワークシステムのネットワークアドレスを有してはいるが、確かに、上述のような第２のネットワークシステムでの通信のための何れか他のパラメータも有しているかもしれないので、第２のネットワークシステムでの通信のための全パラメータは、近接条件が満足される場合、除去される。
【０１０５】
リセットは、何れかの適当な方法、例えば、装置構成メモリを消去又は上書きすることによりなされる。
【０１０６】
装置構成メモリは、好ましくは可変メモリであるので、加入情報が装置構成メモリに格納される。最も好ましくは、装置構成メモリは、試運転モードに入る前にリセットされるので、以前のネットワークシステムでの通信の設定は、前記試運転モードで試運転する前に、安全に除去される。
【０１０７】
最も好ましくは、加入装置は、リセットの前に、第２のネットワークシステムで「ｌｅａｖｅ（さよなら）メッセージ」を送信するので、第２のネットワークシステムの何れの他の装置も装置テーブルから加入装置を削除する。Ｚｉｇｂｅｅを参照すると、さよならメッセージは、好ましくは、ＮＬＭＥ−ＬＥＡＶＥリクエストに対応する。
【０１０８】
上述のように、試運転モードでは、加入装置は、第１のネットワークシステムでの動作のための少なくともネットワークアドレスを有する、加入情報でプログラムされる。このとき、加入装置は、第１のネットワークシステムのメンバであるとみなされる。
【０１０９】
加入情報は、試運転中に又は試運転前に送信される、例えば第１のネットワーク装置と加入装置との通信で、例えば「加入メッセージ」に含まれてもよい。
【０１１０】
代わりに、好ましい実施例によると、ネットワーク装置及び加入装置は、本発明の第１の態様による試運転モードで通信するように構成され、ネットワーク装置は、ネットワーク識別情報を報知するように構成され、加入装置は、報知を受信すると、既定のアドレスを有するネットワークに加入するというリクエストをネットワーク装置へ送信するように構成され、ネットワーク装置は、ネットワークアドレスを加入装置へ割り当てることによりリクエストに応答し、ネットワークアドレスに対応するデータをネットワーク構成メモリに格納し、既定のアドレスを使用して少なくともネットワークアドレスを有する加入情報を加入装置へ送信するように構成され、加入装置は、加入情報を受信し、加入情報を装置構成メモリに格納するように構成されるので、加入装置は、ネットワークアドレスを使用してネットワークシステムにアドレス可能である。
【０１１１】
上述のように、ネットワーク識別情報は、少なくとも物理的に近接で、第１のネットワークシステムを信頼性が高く固有に識別可能である。好ましくは、ネットワーク識別情報は、ネットワークの固有識別子であり、最も好ましくは工場設定固有識別子である。例えば、ネットワーク識別情報は、通常ＩＥＥＥ  ＭＡＣアドレス、例えば６バイト装置識別子に基づいた、ネットワーク装置自体の全般的な固有識別子（ＵＵＩＤ）でもよい。ネットワーク識別情報は、ネットワーク装置内でハードコードされるか、又は可変メモリに含まれてもよい。好ましくは、ネットワーク識別情報は、ネットワーク構成メモリに格納される。
【０１１２】
既定のアドレスは、加入装置を個々に区別可能である何れの種類の情報でもよい。例えば、既定のアドレスは、工場設定アドレスである。好ましくは、既定のアドレスは、ＭＡＣアドレスである。既定のアドレスは、例えば通信インタフェース内でハードコードされ、又は適当なメモリに含まれてもよい。
【０１１３】
好ましい実施例によると、第１のネットワークシステムのネットワーク識別情報は、更に、発見メッセージに含まれるので、試運転モードで、加入装置は、試運転中に受信されるネットワーク識別情報が、発見メッセージに含まれるネットワーク識別情報に一致する場合にだけ、ネットワークに加入するというリクエストを返す。この実施例は、好適には、特に複数のネットワークシステムが近傍に存在する場合、当該加入装置だけが第１のネットワークシステムに加入することを可能にするので、偶発的な誤った構成が回避できる。
【０１１４】
上述に加えて又は代わりに、本発明の更に好ましい実施例によると、加入装置は、試運転モードで、加入装置の既定のアドレスと共に近接情報を報知するように構成される。好ましくは、ネットワーク装置は、加入装置の報知を受信すると、既定のアドレスでアドレスされたリセットメッセージを加入装置へ送信するように構成される。最も好ましくは、加入装置は、リセットメッセージを受信すると、その装置構成メモリをリセットし、第１のネットワークシステムでの通信のため加入情報を使用して再スタートするように構成される。
【０１１５】
本発明は、複数の装置がネットワーク装置に近接している場合に、試運転されるべき装置を明確に選択する必要があるので、特に有益である。従って、ネットワーク装置は、それぞれの既定のアドレスを備えた近傍内の装置のリストを表示するように例えば構成されるので、ユーザは、特定の装置を選択し、対応する既定のアドレスで選択された装置へ送信されるべきリセットメッセージをトリガする。代わりに、ネットワーク装置は、近接情報から決定される、ネットワーク装置に最も近い装置を自動的に取り上げるように構成される。
【０１１６】
上述の実施例を参照して、加入情報は、上述のように、本発明の第１の態様による通信で、例えば加入装置へ伝送される。好ましくは、ネットワーク装置は、リセットメッセージ内の加入情報を送信するように構成されるので、リセットメッセージを受信すると、加入装置は、その装置構成メモリをリセットし、すなわち、加入情報で装置構成メモリを上書きし、その後再スタートする。
【０１１７】
試運転が完了すると、加入装置は、例えばネットワークレベルの報知で、又は少なくともネットワークアドレスを有するアナウンス報知で、第１のネットワークシステムにその存在をアナウンスするように好ましくは構成される。
【０１１８】
他の好適な実施例は、従属請求項に述べられている。
【０１１９】
本発明の上記目的、他の目的、特徴及び利点は、好ましい実施例の以下の説明から明らかになるだろう。
【図面の簡単な説明】
【０１２０】
【図１】図１は、概略図でネットワーク装置の第１の実施例を示す。
【図２】図２は、概略図で加入装置の第１の実施例を示す。
【図３】図３は、試運転前の無線ネットワークシステムの実施例の概略図を示す。
【図４】図４は、記号表現で試運転モード中の試運転の実施例を示す。
【図５】図５は、成功した試運転後の無線ネットワークシステムの第２の実施例の概略図を示す。
【図６】図６は、無線ネットワークシステムの他の実施例の概略図を示す。
【図７ａ】図７ａは、概略図で加入装置の第２の実施例を示す。
【図７ｂ】図７ｂは、概略図で加入装置の第３の実施例を示す。
【図７ｃ】図７ｃは、概略図で加入装置の第４の実施例を示す。
【図８】図８は、概略図で加入装置の第５の実施例を示す。
【図９ａ】図９ａは、概略図でネットワーク装置の第２の実施例を示す。
【図９ｂ】図９ｂは、概略図で加入装置の第６の実施例を示す。
【図１０ａ】図１０ａは、概略図でネットワーク装置の第３の実施例を示す。
【図１０ｂ】図１０ｂは、概略図で加入装置の第７の実施例を示す。
【図１１】図１１は、本発明の第２の態様による無線ネットワークシステムの他の実施例の概略図を示す。
【図１２】図１２は、概略図で加入装置の第８の実施例を示す。
【図１３】図１３は、シンボル的なフローチャートで発見モードでの通信の実施例を示す。
【図１４】図１４は、シンボル的なフローチャートで発見モードでの通信の他の実施例を示す。
【発明を実施するための形態】
【０１２１】
図１は、概略的な表現で、本実施例では遠隔制御装置であるネットワーク装置１の第１の実施例を示す。ネットワーク装置１は、以下で「Ｚｉｇｂｅｅ」又はＺｉｇｂｅｅプロトコルと呼ばれる、Ｚｉｇｂｅｅ及びＩＥＥＥ８０２．１５．４通信プロトコルに従って、ＲＦ無線通信のために供給された、適当なアンテナ３を備える通信インタフェース２を有する。ＩＥＥＥ８０２．１５．４は、物理的リンクレイヤ（ＰＨＹ）及び媒体アクセス制御レイヤ（ＭＡＣ）を供給する。Ｚｉｇｂｅｅは、ＭＡＣレイヤの上部でアプリケーションレイヤ（ＡＰＬ）及びネットワークレイヤ（ＮＷＫ）を供給する。Ｚｉｇｂｅｅ及びＺｉｇｂｅｅプロトコルスタックの説明は、例えば、Ｚｉｇｂｅｅ  Ａｌｌｉａｎｃｅ社から利用可能な２００７年１０月１９日付けのドキュメント０５３４７４ｒ１７でのＺｉｇｂｅｅ仕様書に開示されている。以下に説明されるように、通信インタフェース２は、Ｚｉｇｂｅｅ  Ｐｒｏスタックプロフィールを実行する。Ｚｉｇｂｅｅ  Ｐｒｏ及び対応する通信スタックの説明は、Ｚｉｇｂｅｅ  Ａｌｌｉａｎｃｅ社から利用可能な２００８年１月付けのドキュメント０７４８５５ｒ０５に開示されている。
【０１２２】
通信インタフェース２は、例えば、適当なプログラミングを持つマイクロコントローラを使用して、通信インタフェース２を介した通信を制御するＣＰＵ（中央処理ユニット）４と接続されている。ＣＰＵ４は、以下に更に説明されるように、アプリケーション及びネットワーク制御機能のためのＬＣＤディスプレイ７及びボタン６を持つ、ユーザ制御インタフェース５と接続される。可変ネットワーク構成メモリ８は、ネットワークアドレス及びネットワーク構成データを格納するために供給される。バッテリ９は、ネットワーク装置１の全ての部品に電力を供給する。ネットワーク装置１は、しばしば低減された機能性装置（ＲＦＤ）と呼ばれるＺｉｇｂｅｅエンド装置であり、通信が必要でないとき休止していて、よってバッテリ節電している。
【０１２３】
ネットワーク装置１は、通信インタフェース２を介して他の無線装置と通信し、アドレッシング、媒体アクセス、ルーティング能力等を含むネットワーク機能性を提供するＺｉｇｂｅｅプロトコルを使用して通信ネットワークを形成する。
【０１２４】
Ｚｉｇｂｅｅネットワークでは、装置の各々は、ネットワークレイヤ（ＮＷＫ）上の通信のための１６ビットネットワーク大きさの固有識別子であるショートネットワークアドレスで固有にアドレス可能である。ネットワークが開始されるとき、又は新しい装置がネットワークに加入するとき、ネットワークを試運転する、すなわち、ネットワークシステム内で通信可能にするために少なくとも装置にネットワークアドレスを割り当てることが必要である。
【０１２５】
ネットワークシステム３０をスタートさせるために、ネットワーク装置１は、ネットワーク構成データでプログラムされる。ネットワーク構成データは、ネットワーク装置１が初めて活性化されるとき、ＣＰＵ４により自動的に生成される。代わりに、ネットワーク構成データは、工場設定されるか、又はユーザ制御インタフェース５を使用して入力される。
【０１２６】
本実施例では、ネットワーク構成データは、パーソナルエリアネットワーク識別子（ＰＡＮ−ＩＤ）を有するので、ネットワークシステム３０は、近傍の他のネットワークシステムとは区別可能である。Ｚｉｇｂｅｅを参照すると、ＰＡＮ−ＩＤは、通常、ネットワークシステム３０の６４ビットの「グローバルな」固有識別子である拡張ＰＡＮ−ＩＤで補足される。更に、ネットワーク通信のためのチャネルが、選ばれる。加えて、ネットワークキーは、安全な通信のために生成される。例えば、Ｚｉｇｂｅｅ  ＨＡＰによるネットワークキーは、１２８ビットの長さを持つＡＥＳに基づく。キーは、例えばランダム数発生器を使用して生成されるか、又はネットワーク装置１のＭＡＣアドレスに基づいてもよい。
【０１２７】
加えて、アドレス範囲は、以下に説明されるように、既定されていてもよい。このようにして作成されたネットワーク構成データは、ネットワーク構成メモリに格納され、このとき、以下の情報を有する。
ネットワーク構成データＰＡＮ−ＩＤ
拡張ＰＡＮ−ＩＤ
ネットワークキー
チャネル番号
（アドレス範囲）オプショナル
【０１２８】
広い意味で、何れの試運転の前にも、ネットワーク３０は、図３に示されるように、ネットワーク装置１によってのみ形成されることに留意されたい。本説明に関して、ネットワーク内の通信及びネットワークシステム内の装置のメンバシップは、ネットワークレイヤ（ＮＷＫ）上で規定されるネットワークアドレス、例えばＺｉｇｂｅｅショートネットワークアドレスを使用する通信を参照する。
【０１２９】
以下では、第１の実施例による概略図で図２に示される、新しい装置、すなわち加入装置２１がネットワークに加えられるとする。
【０１３０】
本実施例では、加入装置２１は照明ユニットである。加入装置２１は、ネットワーク装置１に対応するように、Ｚｉｇｂｅｅによる無線ＲＦ通信用に供給される、通信インタフェース２を有する。通信インタフェース２は、ＭＡＣレイヤ上の通信用に固有のＭＡＣアドレスを有し、通信を制御するＣＰＵ２４に接続されている。ＣＰＵ２４は、装置構成メモリ２８及びアプリケーションインタフェース２５に接続され、ランプ２３を制御する、すなわちランプ２３を調光するためにランプ２３をオンオフ切り換える。アプリケーションインタフェース２５は、ネットワーク装置１のような遠隔制御装置からアプリケーション制御コマンドを受信すると、ネットワークを介して制御可能である。全ての部品は、メイン接続（図示されず）で電源ユニット２２に接続されている。
【０１３１】
「バージン」装置と通常呼ばれる、加入装置２１が最初に活性化されるとき、又は当該装置がリセットされるとき、装置構成メモリ２８は空であり、すなわち加入装置２１は構成化されていず、ネットワーク通信のために必要とされる専用のネットワークアドレスを持たない。
【０１３２】
活性化されると、ＣＰＵ２４は装置構成メモリ２８をポーリングし、装置構成メモリ２８が空のとき、試運転モードに入る。試運転モードでは、加入装置２１は、ネットワーク装置１から加入情報４２を得るので、加入装置２１は、ネットワークシステム３０でアドレス可能であり、すなわちネットワークシステム３０のメンバになる。ネットワーク装置１に対して、ユーザによる操作、例えばユーザ制御インタフェース５上の対応する「加入モード」ボタンを押すと、試運転モードが始動する。
【０１３３】
ネットワーク装置１と加入装置２１との間の試運転モードでの通信の実施例は、シンボル的表現で図４に示されている。
【０１３４】
試運転モードの間、ネットワーク装置１及び加入装置２１の通信インタフェース２は、Ｚｉｇｂｅｅ  Ｉｎｔｅｒ−ＰＡＮ伝送モードでの通信のためにそれぞれのＣＰＵ４及び２４により駆動され、以前にセットアップされたＺｉｇｂｅｅネットワークを持つ必要なしに、ネットワーク装置１が加入装置２１と情報を交換可能にする。既に述べたように、加入装置２１はネットワークアドレスを持たない、すなわちＮＷＫレイヤ上のショートネットワークアドレスを持たず、更に、加入装置２１は、ネットワークシステム３０での通信のために必要とされるネットワークキーを持たない。よって、Ｚｉｇｂｅｅ  Ｉｎｔｅｒ−ＰＡＮ伝送は、図３に示されるように、ネットワーク外の通信チャネル３１として見なされる。
【０１３５】
Ｚｉｇｂｅｅ  Ｉｎｔｅｒ−ＰＡＮ伝送は、Ｚｉｇｂｅｅ  Ａｌｌｉａｎｃｅ社から利用可能な２００８年５月２９日付けのドキュメント０７５３５６ｒ１４に開示された「Ｚｉｇｂｅｅスマートエネルギープロフィール」で規定される。Ｉｎｔｅｒ−ＰＡＮ伝送リクエストは、ＮＷＫレイヤの関与なしに、アプリケーションフレームを直接ＭＡＣレイヤへ渡し、受信されたＩｎｔｅｒ−ＰＡＮアプリケーションフレームをＭＡＣレイヤから直接アプリケーションへ渡すために丁度充分な処理を実施する、アプリケーションサポートサブレイヤの特別な「Ｓｔｕｂ」により、Ｚｉｇｂｅｅスタックで通常扱われる。本例による試運転は、全てのメッセージがＺｉｇｂｅｅ  Ｉｎｔｅｒ−ＰＡＮ伝送で送信される以下のステップに従って実行される。
１  試運転モードの開始があると、ネットワーク装置１は、ネットワーク構成メモリ８に格納されたＰＡＮ−ＩＤを有する報知メッセージ４０を送信する。
２  前に説明された試運転モードに入った加入装置２１は、報知メッセージ４０を受信し、ＭＡＣアドレスを有するネットワークに加入するというリクエスト４１を報知する。
３  ネットワーク装置１は、リクエスト４１を受信し、加入装置２１をショートネットワークアドレスに割り当て、ネットワーク構成メモリ８内にショートネットワークアドレスを格納し、ショートネットワークアドレス、拡張ＰＡＮ−ＩＤ、ネットワークキー及びチャネル番号を有する加入情報４２を加入装置２１へ送信する。
４  加入装置２１は、加入情報４２を受信し、装置構成メモリ２８に格納し、通信インタフェース２及びＣＰＵ２４の構成のための加入情報４２を使用して再スタートする。加入装置２１は、今はネットワークシステム３０の通常のメンバであり、ネットワークシステム３０内でアドレス可能である。図５に示されるように、ネットワーク装置１及び加入装置２１は、ネットワークシステム３０において互いに通信可能である。試運転が終了する。
【０１３６】
試運転が成功した後、ネットワーク構成メモリ８は、以下の情報を有する。
ネットワーク構成データＰＡＮ−ＩＤ
拡張ＰＡＮ−ＩＤ
ネットワークキー
チャネル番号
（アドレス範囲）オプション
ネットワーク装置
ショートネットワークアドレス＃１（ネットワーク装置１）
ショートネットワークアドレス＃２（加入装置２１）
【０１３７】
加入装置２１がネットワーク３０に加入したとき、アプリケーションインタフェース２５及びランプ２３は、ネットワーク装置１のユーザ制御インタフェース５を使用して制御可能である。ネットワーク装置１のボタン６は、特定のアプリケーションインタフェース２５を制御するために割り当てられ、通常バインディングと呼ばれる。バインディングのための方法は、従来から知られていて、例えばＺｉｇｂｅｅ仕様書に開示されている。
【０１３８】
本例によるセットアップは、専用の調整装置が必要とされないので、有益である。試運転及びアプリケーション制御機能性は、単一のネットワーク装置１により提供される。
【０１３９】
前述の試運転モードでは、ネットワーク装置１は、加入装置２１にショートネットワークアドレスを割り当てている。ショートネットワークアドレスは、前述のように既定のネットワークアドレス空間から決定される。Ｚｉｇｂｅｅネットワークの本例では、ショートネットワークアドレスは１６ビットアドレスなので、トータルで６５５３６個のショートアドレスが割り当て可能である。本例では、ネットワーク装置１は、アドレス番号「１」を保持し、加入装置２１に次の連続するアドレス「２」を割り当てる。更に、加入された装置は、しかるべきアドレスを割り当てられる。上述のように、ネットワーク装置１は、階層的アドレス分配とは対照的に、「フラットな」アドレス割り当てを可能にする、Ｚｉｇｂｅｅ  Ｐｒｏスタックプロフィールを使用する。
【０１４０】
確かに、上述の試運転は、ネットワークシステムのスタートに限定されず、図６に示されるように、既に複数の試運転された装置６１を有するネットワークシステム６０に加入装置２１を加入するように行われてもよい。本例では、ネットワーク装置１のネットワーク構成メモリ８は、以下の情報を有する。
ネットワーク構成データＰＡＮ−ＩＤ
拡張ＰＡＮ−ＩＤ
ネットワークキー
チャネル番号
（アドレス範囲）オプション
ネットワーク装置
ショートネットワークアドレス＃１（ネットワーク装置１）
ショートネットワークアドレス＃２
ショートネットワークアドレス＃３
ショートネットワークアドレス＃４
【０１４１】
図６の例では、加入装置２１のショートネットワークアドレス＃５は、試運転が完了後、ネットワーク構成メモリ８に含まれる。
【０１４２】
ネットワーク３０から装置を除去するために、対応するリクエストが、ユーザインタラクションの際に、ネットワーク装置１からそれぞれの加入装置２１へ送信され、装置構成メモリ２８をリセットし、再スタートさせる。対応するショートネットワークアドレスが、ネットワーク構成メモリ８から削除され、新しい装置に割り当て可能となる。
【０１４３】
本例による試運転は、ランプ２７を持つ加入装置２１に加入することに限定されない。図７ａは、ランプ２３の代わりに、温度センサ７０が、ネットワーク装置１へ対応するアプリケーションデータ値を供給するためにアプリケーションインタフェース２５に接続され、当該データ値がネットワーク装置１のディスプレイ上にユーザに示されることを除いて、加入装置２１に対する全ての態様と同一である加入装置２１’の第２の実施例を示す。図７ｂは、アプリケーションインタフェース２５が、端子７１と接続可能な外部機器を制御するように構成されることを除いて、前述の加入装置２１とまた同一である加入装置２１”の第３の実施例を示す。例えば、機器は、加熱装置のような家庭用機器でもよく、ネットワーク装置１のユーザ制御インタフェース５上の対応するボタン６を使用して、機器を遠隔でオンオフ切り換え可能である。図７ａ及び図７ｂの例では、試運転は、前述の方法に対応する。
【０１４４】
加入装置２１の他の実施例が、図７ｃに示され、本例では、図１に示される遠隔制御装置に対応する第２の遠隔制御装置である。対応する要素は、図１の番号で図７ｃに示されている。特に非常に大きな数の装置を持つネットワークシステムでは、他の遠隔制御装置をネットワークに加えることが好適であり、加入された遠隔制御装置自体が、試運転モードを始動し、他の加入装置と通信する。本実施例による試運転は、ステップ３で加入装置２１’”に送信する加入情報４２がアドレス範囲を有するので、加入装置２１’”が他の装置をネットワークに加入させるために試運転を開始できることを除いて、図４を参照して説明された試運転と一致する。
【０１４５】
上述のように、ネットワーク装置１は、加入装置２１’”をネットワークアドレス、すなわちアドレス番号２に割り当てる。加えて、ネットワーク装置１は、加入装置２１’”を、ネットワーク３０に加わると試運転するためのアドレス範囲に割り当てる。単一の遠隔制御装置で１０００を超す装置を制御することは実際的ではないとすると、ネットワーク装置１は、加入装置２１’”に１０００のアドレス、例えば番号３−１００２のネットワーク範囲を割り当て、占有されるとしてこれらのアドレスをマークする。このとき、ネットワーク装置１のネットワーク構成メモリ８は、以下の情報を有する。
ネットワーク構成データ
ＰＡＮ−ＩＤ
拡張ＰＡＮ−ＩＤ
ネットワークキー
チャネル番号
（アドレス範囲）オプション
ネットワーク装置
ショートネットワークアドレス＃１（ネットワーク装置１）
ショートネットワークアドレス＃２（加入装置２１’”）
ショートネットワークアドレス＃３−＃１００２（＃２に割り当てられる）（占有された）
【０１４６】
割り当てられたアドレス範囲は、受信すると他の試運転のために使用される加入装置２１’”のネットワーク構成メモリ８に格納されるので、新しい加入装置はアドレス範囲からアドレスを割り当てられる。このとき、加入装置２１’”のネットワーク構成メモリ８は、以下の情報を有する。
ネットワーク構成データ
ＰＡＮ−ＩＤ
拡張ＰＡＮ−ＩＤ
ネットワークキー
チャネル番号
アドレス範囲：＃３−＃１００２
ネットワーク装置１
ショートネットワークアドレス＃１（加入装置２１’”）
【０１４７】
図８は、信号強度検出器８０が、入って来る通信の受信された信号強度を決定し、受信された信号強度指標（ＲＳＳＩ）をネットワーク装置１へ供給するための通信インタフェース２に接続されることを除いて加入装置１と一致する加入装置８１の他の実施例を示す。本実施例は、ネットワークシステム３０の安全性を好適に強化する。
【０１４８】
試運転モードでの動作は、ステップ２で加入装置８１が信号強度検出器８０を使用してネットワーク装置１の受信された報知の信号強度を決定し、対応するＲＳＳＩをネットワーク装置１へ送信することを除いて、図４を参照して前に説明された動作と一致する。
【０１４９】
本実施例では、ネットワーク装置１のネットワーク構成メモリ８は、既定の閾値を有する。ネットワーク装置１は、ステップ３でＲＳＳＩが既定の閾値以上かどうかを決定する。試運転モードのステップ３における加入情報４２は、ＲＳＳＩが既定の閾値以上である場合にだけ、加入装置８１へ送信される。
【０１５０】
ネットワーク装置１’及び加入装置９１の他の実施例が、図９ａ及び図９ｂに示される。ネットワーク装置１’及び加入装置９１は、ネットワーク装置１’が赤外線伝送器９０を有し、加入装置９１が赤外線受信器９２を有することを除いて、図２による加入装置２１及び図１によるネットワーク装置１と一致する。赤外線伝送器９０がＣＰＵ４に接続される一方、赤外線受信器９２がＣＰＵ２４に接続される。伝送器９０及び受信器９２の配置は、ネットワークから独立してネットワーク装置１’及び加入装置９１との間の通信を可能にし、信頼される通信チャネルを形成する。伝送器９０及び受信器９２両方は、約１０ｍの範囲で「見通し線」通信用に構成される。加入装置９１の受信器９２は、オムニ方向タイプ、すなわち広い受信角度を持つ。ネットワーク装置１’の伝送器９０は、約５°の放射角度を呈する。放射の限定された範囲及び角度のため、信用された通信チャネルが、安全であるとみなされ、ネットワーク装置１’と加入装置９１との間で共有された秘密コードの安全な交換を可能にする。
【０１５１】
更にまた、ユーザがネットワーク装置１をネットワークに加入されるべき加入装置９１に向けることが可能であるので、複数の構成されていない装置がネットワーク装置１の近傍に存在する場合、「タッチリンク」又は加入装置９１の指示選択が可能である。
【０１５２】
本実施例による試運転は、ステップ１でネットワーク装置１’がステップ１の報知とパラレルに、秘密コード、例えば数字の羅列を有する信号を発するように赤外線伝送器９０を駆動することを除いて、図４を参照して説明される試運転と同一である。
【０１５３】
赤外線受信器９２を使用して前記コードを受信する加入装置９１は、リクエスト４１内のコードをネットワーク装置１’へ送信する。
【０１５４】
ステップ３では、ネットワーク装置１’は、受信されたコードが第２のコードと一致するかどうかを決定し、一致する場合、加入情報４２を加入装置９１へ送信する。
【０１５５】
ネットワーク装置１”及び加入装置１０１の代わりの実施例が、図１０ａ及び図１０ｂに示される。ネットワーク装置１”及び加入装置１０１は、図９ａ及び図９ｂによる実施例のネットワーク装置１’及び加入装置９１と実質的に一致する。本例では、加入装置１０１は赤外線伝送器１００を有し、ネットワーク装置１”は赤外線受信器１０２を有する。伝送器１００は、オムニ方向タイプである。受信器１０２は、上述の「タッチリンク」又は指示挙動を実現するために、約５°の限定された受信角を示す。伝送器１００及び受信器１０２両方は、約１０ｍの範囲で「見通し線」通信用に構成されている。
【０１５６】
本実施例による試運転は、ステップ２で加入装置１０１が、リクエスト４１の報知とパラレルに、ＭＡＣアドレスを有する信号を発するように赤外線伝送器１００を駆動することを除いて、図４を参照して説明されるような試運転と同一である。
【０１５７】
ネットワーク装置１は、赤外線受信器１０２を使用して前記信号を受信し、ステップ３で、ネットワーク装置１は受信した信号、すなわちこのように受信されたＭＡＣアドレスがリクエスト４１のＭＡＣアドレスと一致するかどうかを決定し、一致する場合加入情報４２を加入装置１０１に送信する。
【０１５８】
上述の代わりに、受信器１０２は、広い受信角度を持ち、方向性情報をＣＰＵ４に供給するように構成され、ＣＰＵ４は、ネットワーク装置１”が加入装置１０１を指しているかどうか、すなわち加入装置１０１がネットワーク装置１”の前部にあるかどうかを決定してもよい。この場合、受信器１０２は、複数のＩＲフォトダイオードを持ち、これは、１０ｍの距離で５０ｃｍの解像度を供給することに対応するように配される。
【０１５９】
図２を参照して説明されたように、加入装置２１のＣＰＵ２４は、装置構成メモリ２８が空である場合、自動的に試運転モードに入る。代わりに、加えて、加入装置２１は、ネットワーク装置１が加入装置２１の規定の近傍内にある場合、試運転モードに入るように構成される。斯様な構成は、加入装置２１がネットワーク通信のために既に構成されている場合、すなわち装置構成メモリ８が空である場合、再構成が必要である場合に以前のネットワークから加入装置２１を明確に除去することが必要ではないので、特に好適である。
【０１６０】
図１１は、本発明の第２の態様による無線ネットワークの他の実施例の概略図を示す。以下では、新しい装置、すなわち加入装置１１１が第１のネットワークシステム３０に加入されるものとする。
【０１６１】
本実施例では、加入装置１１１は、第８の実施例によって概略図で図１２に示される照明ユニットである。加入装置２１は、ネットワーク装置１に対応して、Ｚｉｇｂｅｅによる無線ＲＦ通信のために供給された通信インタフェース２を有する。通信インタフェース２は、ＭＡＣレイヤ上での通信のため固有のＭＡＣアドレスを有し、通信を制御するＣＰＵ２４に接続される。ＣＰＵ２４は、装置構成メモリ２８及びアプリケーションインタフェース２５に接続され、ランプ２３を制御し、すなわちランプ２３をオンオフ切り換えてランプ２３を調光するように構成される。アプリケーションインタフェース２５は、ネットワーク装置１のような遠隔制御装置からアプリケーション制御コマンドを受信すると、ネットワークを介して制御可能である。全ての部品は、メイン接続（図示されず）で電源ユニット２２に接続される。
【０１６２】
更に、信号強度検出器８０は、入って来る通信の受信信号強度を決定するための通信インタフェース２に接続され、ＣＰＵ２４に受信された信号強度指標（ＲＳＳＩ）値を供給する。近接メモリ１２０は、前記ＲＳＳＩ値、すなわち近接閾値と比較するための信号強度閾値を有するＣＰＵ２４に接続されるので、ＣＰＵ２４は、加入装置１１１と通信する装置が規定の距離内にあるかどうかを決定することが可能である。本実施例によると、近接閾値は、０．５メートル未満の距離に対応する。
【０１６３】
加入装置１１１は、第２のネットワークシステム１１０での動作のために構成され、第２のネットワークシステム１１０の他の装置１１２と通信する。加入装置１１１の装置構成メモリ２８は、ショートネットワークアドレス、拡張ＰＡＮ−ＩＤ、第２のネットワークシステム１１０のチャネル番号及びネットワークキーを有する。
【０１６４】
上述のように、ネットワーク装置１は、第１のネットワークシステム３０での動作のために構成される。確かに、図１１には示されていないが、第１のネットワークシステム３０は、他の装置を有してもよい。第１のネットワークシステム３０及び第２のネットワークシステム１１０のネットワークキー及び拡張ＰＡＮ−ＩＤは互いに異なり、すなわちネットワーク装置１及び加入装置１１１は、異なるネットワークでの通信のために構成される。従って、ネットワーク通信、すなわちネットワーク装置１と加入装置１１１との間の前記ショートネットワークアドレスでアドレスされたＮＷＫレイヤ上での通信は、可能ではない。
【０１６５】
本実施例によると、ネットワーク装置１及び加入装置１１１は、発見モードで動作のために構成される。発見モードの間、ネットワーク装置１及び加入装置１１１の通信インタフェース２は、それぞれＣＰＵ４及び２４により、Ｚｉｇｂｅｅ  Ｉｎｔｅｒ−ＰＡＮ伝送モードでの通信のため駆動され、装置は、異なるＺｉｇｂｅｅネットワークでの動作用に構成されるが、ネットワーク装置１が加入装置１１１と情報を交換可能にする。このように、Ｚｉｇｂｅｅ  Ｉｎｔｅｒ−ＰＡＮ伝送は、図１１で示されるように、ネットワーク外の通信チャネル３１としてみなされる。
【０１６６】
Ｚｉｇｂｅｅ  Ｉｎｔｅｒ−ＰＡＮ伝送は、Ｚｉｇｂｅｅ  Ａｌｌｉａｎｃｅ社から利用可能な２００８年５月２９日付のドキュメント０７５３５６ｒ１４に開示されるような「Ｚｉｇｂｅｅスマートエネルギープロフィール」で規定されている。Ｉｎｔｅｒ−ＰＡＮ伝送リクエストは、通常、ＮＷＫレイヤの関与なしに、ＭＡＣレイヤへ直接アプリケーションフレームを渡し、ＭＡＣレイヤからアプリケーションへ直接、受信されたＩｎｔｅｒ−ＰＡＮアプリケーションフレームを渡すのに丁度十分な処理を実施する、アプリケーションサポートサブレイヤの特定の「Ｓｔｕｂ」によりＺｉｇｂｅｅスタックでハンドルされる。
【０１６７】
発見モードでの通信の第１の実施例は、シンボル的なフローチャートを示す図１３を参照して、以下のように説明される。発見モードは、ユーザ操作、例えば制御インタフェース５上の対応する「発見モード」ボタンのボタン押しがあると、ステップ１３０でネットワーク装置１に対して始動される。加入装置１１１は、ネットワーク動作のために構成されるとき、すなわち装置構成メモリ２８が空でないとき、発見モードで永続的に構成される。
【０１６８】
発見モードが起こると、ネットワーク装置１は、発見メッセージ、すなわち第１のネットワークシステム３０の少なくともＰＡＮ−ＩＤを有するＩｎｔｅｒ−ＰＡＮ伝送を報知する。発見メッセージは、一定の間隔、本実施例では２秒毎に送信される。発見メッセージは、第１のネットワークシステム３０のＰＡＮ−ＩＤを有する。
【０１６９】
加入装置１１１は、ステップ１３１で発見メッセージを受信し、信号強度検出器８０は、前記発見メッセージの受信信号強度（ＲＳＳＩ）を決定する。ＲＳＳＩ値は、ＣＰＵ２４へ転送され、ＣＰＵ２４はＲＳＳＩ値を信号強度閾値と比較し、ステップ１３２で近接メモリ１２０からポーリングされる。ＲＳＳＩが信号強度閾値以上である場合、すなわち、ネットワーク装置１が加入装置１１１に０．５メートルより近い場合、加入装置１１１は、ステップ１３３及び１３４に従って試運転モードに入る。
【０１７０】
ステップ１３３で、加入装置１１１は、リーブ（さよなら）リクエストを第２のネットワークシステム１１０の装置１１２へ送信し、第２のネットワークシステム１１０の通信パラメータを除去するため装置構成メモリ２８をリセットする。
【０１７１】
加入装置１１１の装置構成メモリ２８は、ステップ１３４でネットワーク装置１からの加入情報でプログラムされるので、加入装置１１１は第１のネットワークシステム３０でアドレス可能である。本実施例によると、加入情報は、専用のショートネットワークアドレス及び拡張ＰＡＮ−ＩＤ、第１のネットワークシステム３０のネットワークキー及びチャネル番号を有する。
【０１７２】
ステップ１３４での加入情報の交換は、以下の工程に従って実行され、全てのメッセージが対応するＺｉｇｂｅｅＩｎｔｅｒ−ＰＡＮ伝送で送信される。
１  ネットワーク装置１が、ＰＡＮ−ＩＤを有しネットワーク構成メモリ８に格納された報知メッセージを送信する。
２  上述のように試運転モードに入った加入装置１１１は、前記報知メッセージを受信し、前記報知メッセージ内に含まれるＰＡＮ−ＩＤが前記発見メッセージで受信されたＰＡＮ−ＩＤと一致する場合、ＭＡＣアドレスを有するネットワークに加入するというリクエストを報知する。よって、加入情報の交換がネットワーク装置１とだけなされることが保証される。
３  ネットワーク装置１は、前記リクエストを受信し、加入装置１１１をショートネットワークアドレスに割り当て、ネットワーク構成メモリ８ショートネットワークアドレスを格納し、ショートネットワークアドレス、拡張ＰＡＮ−ＩＤ、ネットワークキー、及びチャネル番号を有する加入情報を加入装置１１１へ送信する。
４  加入装置１１１は、加入情報を受信し装置構成メモリ２８に格納し、通信インタフェース２及びＣＰＵ２４の構成のために加入情報を使用して、再スタートする。加入装置１１１は、現在第１のネットワークシステム３０の通常のメンバであり、ネットワークシステム３０でアドレス可能である。図５に示されるように、ネットワーク装置１及び加入装置１１１は、ネットワークシステム３０で互いに通信可能である。試運転が終了する。
【０１７３】
加入装置１１１がネットワーク３０に加入すると、アプリケーションインタフェース２５、よってランプ２３は、ネットワーク装置１のユーザ制御インタフェース５を使用して制御可能である。ネットワーク装置１のボタン６は、特定のアプリケーションインタフェース２５を制御するために割り当てられ、通常バインディングと呼ばれている。バインディングのための方法は、従来から知られていて、例えばＺｉｇｂｅｅ仕様書に開示されている。
【０１７４】
本実施例によるセットアップは、専用の調整装置が必要とされないので、好適である。試運転及びアプリケーション制御機能が、単一のネットワーク装置１により提供される。
【０１７５】
発見モードでの通信のための他の実施例が、図１４のフローチャートに示される。図１４の実施例は、ネットワークシステム３０に加入するために特定の装置を選択することが必要であるので、複数の装置がネットワーク装置１の物理的近傍にある場合に特に好適である。
【０１７６】
図１３を参照して上述されたように、ネットワーク装置１は、ユーザのインタラクションによりステップ１４０で、発見モードに入り、Ｉｎｔｅｒ−ＰＡＮ発見メッセージを報知する。本実施例によると、発見メッセージは、必ずしもＰＡＮ−ＩＤを有さない。
【０１７７】
加入装置１１１は、ステップ１４１で前記発見メッセージを受信し、その信号強度検出器８０は、前記発見メッセージの受信した信号強度（ＲＳＳＩ）を決定する。ＲＳＳＩ値は、ＣＰＵ２４へ転送され、ＣＰＵ２４は、ステップ１４２で近接メモリ１２０からポーリングされた信号強度閾値とＲＳＳＩ値を比較する。ＲＳＳＩ値が信号強度閾値異常である場合、すなわちネットワーク装置１が加入装置１１１に０．５メートルより近い場合、加入装置１１１は、ステップ１４３−１４７に従って、試運転モードに入る。
【０１７８】
ステップ１４３では、加入装置１１１は、Ｉｎｔｅｒ−ＰＡＮメッセージのＭＡＣアドレスと共にＲＳＳＩ値を報知する。ネットワーク装置１は、第２のネットワークシステム１１０の他の装置１１２の図１１を例えば参照すると、全ての偶発的他の装置及びステップ１４４での加入装置１１１の報知を受信する。
【０１７９】
ネットワーク装置１のＣＰＵ４は、受信した全ての報知の受信ＲＳＳＩ値を比較し、最高のＲＳＳＩ値を持つ装置、すなわちネットワーク装置１に最も近い装置を決定する。図１１を参照し、他の装置１１２がネットワーク装置１に近いが加入装置１１１が最も近いとみなして、加入装置１１１が選択される。
【０１８０】
ネットワーク装置１は、ステップ１４５で、Ｉｎｔｅｒ−ＰＡＮリセットメッセージを加入装置１１１へ送信し、加入装置１１１のＭＡＣアドレスでアドレスされる。リセットメッセージは、ネットワークシステム３０での通信のための加入情報及び特別なリセットコマンドを有し、すなわち上述のように、ショートネットワークアドレス及び拡張ＰＡＮ−ＩＤ、第１のネットワークシステム３０のチャネル番号及びネットワークキーを有する。
【０１８１】
加入装置１１１は、ステップ１４６でリセットメッセージを受信し、装置構成メモリ２８をリセットする。装置のＣＰＵ２４は、新しい加入情報で装置構成メモリ２８をプログラムし、第１のネットワークシステム３０での通信のため加入情報を使用して、ステップ１４７で再スタートし、試運転が終わる。
【０１８２】
本発明は、図面及び前述の説明で詳細に例示され説明された。斯様な例示及び説明は、図示的又は例示的であって、限定的ではないとみなされるべきであり、本発明は、開示された実施例に限定されない。
【０１８３】
例えば、以下の実施例で本発明を実施することが可能である。
ネットワーク通信がＩＥＥＥ８０２．１１プロトコルに対応し、
ネットワーク装置１、１’、１”は遠隔制御装置ではなく、コンピュータ又は壁スイッチであり、
ネットワーク構成データは、試運転され加入した装置のショートネットワークアドレスを格納する、ネットワーク構成メモリ８とは別個の、ネットワーク装置１の他のメモリに格納され、
ネットワークキーは、ネットワーク構成メモリ８とは別個のネットワーク装置１、１’、１”に供給される、キーストレージに格納され、
通信インタフェース２は、Ｚｉｇｂｅｅ  Ｐｒｏの代わりに、標準Ｚｉｇｂｅｅアドレス割り当て方法を使用するように構成され、加入情報４２が、使用される通信プロトコルに依存して、追加又は異なる情報を有し、
ネットワーク装置１、１’、１”のネットワーク構成メモリ８は、既定の近接値を有し、加入装置２１は、加入装置２１とネットワーク装置１、１’、１”との間の距離に関係する近接情報を供給するように構成され、ステップ３で、ネットワーク装置１、１’、１”は、前記既定の近接情報が前記近接情報と一致するかどうかを決定し、近接情報が既定の近接値と一致する場合だけ加入情報４２を加入装置２１へ送信し、
ランプ２３を有する代わりに、加入装置２１、８１、９１、１０１、１１１は、他のアプリケーション装置を有するか、又は湿度センサ、火気検出器、煙検出器、水道メータ、電気メータ、ガスメータ、加熱装置又は他のタイプの機器のようなアプリケーション装置と接続され、
試運転のステップ２のリクエスト４１を報知する代わりに、加入装置２１、８１、９１、１０１、１１１は、拡張ＰＡＮ−ＩＤでリクエスト４１をネットワーク装置１へ向けさせ、
加入装置２１、８１、９１、１０１、１１１のＭＡＣアドレスが、通信インタフェース２に含まれる代わりに、適当なメモリに格納され、及び／又は、
図１４の実施例を参照して、ステップ１４４で装置を自動的に選択するように構成される代わりに、ネットワーク装置１は、ユーザが試運転のための装置を選択可能にするためディスプレイ７近傍の全ての装置のリストを示すように構成される。
【０１８４】
更にまた、試運転モード及び／又は発見モードでの通信は、代わりに、２００７年１０月１９日付の「Ｚｉｇｂｅｅ２００７」を説明するドキュメント０５３４７４ｒ１７に規定されるように、ＺｉｇｂｅｅグローバルＰＡＮ−ＩＤ伝送と少なくとも部分的に対応してもよい。
【０１８５】
グローバルＰＡＮ−ＩＤ伝送は、ＮＷＫレイヤ上の伝送ではあるが、特定のＰＡＮ−ＩＤ、例えばルーティングされ範囲内の各装置により受信されるＤｓｔＰＡＮＩＤ＝０ｘＦＦＦＦでアドレスされる。グローバルＰＡＮ−ＩＤ伝送は、暗号化されていないので、他の処理又は必要とされるＮｅｔｗｏｒｋ−Ｋｅｙ（ネットワークキー）なしに、装置内のそれぞれのアプリケーションに渡される。従って、グローバルＰＡＮ−ＩＤ伝送は、図３及び図１１を参照して、ネットワーク外の通信チャネル３１としてみなされる。
【０１８６】
開示された実施例に対する他のバリエーションは、図面、明細書及び添付の請求項から、本発明を実践する当業者により、理解され実行されるだろう。
【０１８７】
前述の説明及び添付の請求項において、単数の符号は複数を含むことも意味し、逆も同じことが言え、特徴又は装置の特定の番号は、特徴又は装置の特定の番号に本発明を限定するものと考慮されるべきではない。その上、「含む」又は「有する」のような表現は、他の要素を除外するものではなく、不定冠詞「ａ」又は「ａｎ」は複数を除外しない。
【０１８８】
相互に異なる従属項で特定の手段が再引用されているという単なる事実は、これら手段の組み合わせが好適に使用できないことを示すものではない。
【０１８９】
コンピュータプログラムは、他のハードウェアの一部と共に又は一部として供給される光記憶媒体、磁気記憶媒体若しくはソリッドステート媒体のような適当な媒体に格納／分配されてもよいが、インターネット又は他の有線若しくは無線通信システムを介してのような他の形式で分配されてもよい。
【０１９０】
請求項内の何れの参照符号も請求項を限定するものと考慮されるべきではない。
【図１】
2012501146.tif 000003
【図２】
2012501146.tif 000004
【図３】
2012501146.tif 000005
【図４】
2012501146.tif 000006
【図５】
2012501146.tif 000007
【図６】
2012501146.tif 000008
【図７ａ】
2012501146.tif 000009
【図７ｂ】
2012501146.tif 000010
【図７ｃ】
2012501146.tif 000011
【図８】
2012501146.tif 000012
【図９ａ】
2012501146.tif 000013
【図９ｂ】
2012501146.tif 000014
【図１０ａ】
2012501146.tif 000015
【図１０ｂ】
2012501146.tif 000016
【図１１】
2012501146.tif 000017
【図１２】
2012501146.tif 000018
【図１３】
2012501146.tif 000019
【図１４】
2012501146.tif 000020
【国際調査報告】
2012501146.tif 000021
2012501146.tif 000022